(57)【特許請求の範囲】
【請求項１】
基準画像データを取得する基準画像取得部と、
前記基準画像データの撮影位置を示す基準位置に対して、所定距離の範囲内で撮影された関連画像データを取得する関連画像取得部と、
画像を表示する表示部と、
前記基準画像データに対応する基準画像、及び前記関連画像データに対応する関連画像を前記表示部に表示させる表示制御部とを備え、
前記関連画像取得部は、
複数の前記関連画像データを取得し、
前記複数の関連画像データは、
前記基準位置に対して第１距離未満の範囲内で撮像された第１関連画像データと、
前記基準位置に対して第１距離以上、第２距離未満の範囲内で撮像された第２関連画像データとを備え、
前記表示制御部は、
第１領域に前記基準画像、及び前記第１関連画像データに対応する第１関連画像を配置するとともに、前記第１領域とは異なる第２領域に前記第２関連画像データに対応する第２関連画像を配置した表示画面を前記表示部に表示させる
ことを特徴とする表示装置。
【請求項２】
被写体を撮像して画像データを生成する撮像部と、
当該表示装置の位置に関する位置情報を取得する位置取得部とを備え、
前記基準画像取得部は、
前記撮像部にて生成された前記画像データを前記基準画像データとして取得し、
前記関連画像取得部は、
前記撮像部にて前記画像データが生成された際に前記位置取得部にて取得された前記位置情報に基づく位置を前記基準位置として、前記関連画像データを取得する
ことを特徴とする請求項１に記載の表示装置。
【請求項３】
前記表示制御部は、
前記第２関連画像を前記基準画像及び前記第１関連画像の画像サイズよりも小さいサイズで前記表示部に表示させる
ことを特徴とする請求項１または２に記載の表示装置。
【請求項４】
前記関連画像取得部は、
複数の前記第１関連画像データ、及び複数の前記第２関連画像データを取得し、
前記表示制御部は、
前記第１領域に前記基準画像、及び前記複数の第１関連画像データのうち少なくとも２つの第１関連画像データに対応する各前記第１関連画像を第１方向に沿って並べて配置するとともに、前記第２領域に前記複数の第２関連画像データのうち少なくとも２つの第２関連画像データに対応する各前記第２関連画像を前記第１方向に沿って並べて配置した前記表示画面を前記表示部に表示させる
ことを特徴とする請求項１〜３のいずれか一つに記載の表示装置。
【請求項５】
前記表示制御部は、
前記基準画像、前記少なくとも２つの第１関連画像データに対応する各前記第１関連画像、及び前記少なくとも２つの第２関連画像データに対応する各前記第２関連画像を前記第１方向の上流側から徐々に現れる態様で前記表示部に表示させた後、前記表示画面を前記表示部に表示させる
ことを特徴とする請求項４に記載の表示装置。
【請求項６】
ユーザ操作を受け付ける操作受付部を備え、
前記表示制御部は、
前記操作受付部が前記表示画面の変更を指示するユーザ操作を受け付けた場合に、前記第１領域及び前記第２領域のうち少なくともいずれかの領域に配置された画像が前記第１方向に沿って移動する態様で前記表示画面を変更する
ことを特徴とする請求項４または５に記載の表示装置。
【請求項７】
前記関連画像取得部は、
前記基準位置に対して所定の距離範囲内で撮影され、かつ、前記基準画像データの撮影日時を示す基準日時に応じた日時に撮影された前記関連画像データを取得する
ことを特徴とする請求項１〜６のいずれか一つに記載の表示装置。
【請求項８】
前記関連画像取得部は、
前記基準位置に対して所定の距離範囲内で撮影され、かつ、所定回数以上、当該表示装置または当該表示装置とは異なる他の表示装置に表示された前記関連画像データを取得する
ことを特徴とする請求項１〜７のいずれか一つに記載の表示装置。
【請求項９】
画像データ、及び当該画像データの撮影位置を示す撮影位置情報が互いに関連付けられた参照情報を複数、記録する画像記録部を備え、
前記関連画像取得部は、
前記画像記録部に記録された前記複数の参照情報に含まれる複数の前記画像データのうち、前記基準位置に対して、所定距離の範囲内で撮影された前記画像データを前記関連画像データとして取得する
ことを特徴とする請求項１〜８のいずれか一つに記載の表示装置。
【請求項１０】
前記基準位置と、前記画像記録部に記録された前記複数の参照情報に含まれる複数の前記撮影位置情報に基づく各撮影位置との各距離を算出する距離算出部を備え、
前記関連画像取得部は、
前記距離算出部にて算出された前記各距離に基づいて、前記画像記録部に記録された前記複数の参照情報から前記関連画像データを取得する
ことを特徴とする請求項９に記載の表示装置。
【請求項１１】
外部のサーバと通信可能に接続する表示側通信部を備え、
前記関連画像取得部は、
前記表示側通信部を介して、前記サーバに前記基準位置を示す基準位置情報を送信するとともに、前記サーバから前記関連画像データを取得する
ことを特徴とする請求項１〜８のいずれか一つに記載の表示装置。
【請求項１２】
請求項１１に記載の表示装置と、前記表示装置と通信を行うサーバとを備えた表示システムにおいて、
前記サーバは、
前記表示装置との間で通信を行うサーバ側通信部と、
前記サーバ側通信部を介して、前記基準位置情報を前記表示装置から受信するサーバ側通信制御部と、
画像データ、及び当該画像データの撮影位置を示す撮影位置情報が互いに関連付けられた参照情報を複数、記録するデータベースと、
前記サーバ側通信部を介して受信した前記基準位置情報に基づく基準位置と、前記データベースに記録された前記複数の参照情報に含まれる複数の前記撮影位置情報に基づく各撮影位置との各距離を算出する距離算出部と、
前記距離算出部にて算出された前記各距離に基づいて、前記データベースに記録された前記複数の参照情報から前記関連画像データを抽出する関連画像抽出部とを備え、
前記サーバ側通信制御部は、
前記サーバ側通信部を介して、前記関連画像抽出部にて抽出された前記関連画像データを前記表示装置に送信する
ことを特徴とする表示システム。
【請求項１３】
表示装置が行う表示方法において、
基準画像データを取得する第１取得ステップと、
前記基準画像データの撮影位置を示す基準位置に対して、所定距離の範囲内で撮影された関連画像データを取得する第２取得ステップと、
前記基準画像データに対応する基準画像、及び前記関連画像データに対応する関連画像を表示部に表示させる表示ステップとを含み、
前記第２取得ステップでは、
複数の前記関連画像データを取得し、
前記複数の関連画像データは、
前記基準位置に対して第１距離未満の範囲内で撮像された第１関連画像データと、
前記基準位置に対して第１距離以上、第２距離未満の範囲内で撮像された第２関連画像データとを備え、
前記表示ステップでは、
第１領域に前記基準画像、及び前記第１関連画像データに対応する第１関連画像を配置するとともに、前記第１領域とは異なる第２領域に前記第２関連画像データに対応する第２関連画像を配置した表示画面を前記表示部に表示させる
ことを特徴とする表示方法。
【請求項１４】
請求項１３に記載の表示方法を表示装置に実行させる
ことを特徴とする表示プログラム。
【発明の詳細な説明】
【技術分野】
【０００１】
本発明は、表示装置、表示システム、表示方法、及び表示プログラムに関する。
【背景技術】
【０００２】
近年、デジタルカメラ等の撮像装置において、通信技術を用いて、外部のサーバから各種情報を取得する技術が知られている（例えば、特許文献１参照）。
特許文献１に記載の技術は、通信技術を利用して、外部のサーバから、現在位置付近の好適な撮影場所を取得する（撮影場所のアドバイスを受ける）技術である。
具体的に、特許文献１に記載の技術では、撮像装置は、当該撮像装置の位置に関する位置情報をサーバに送信する。サーバは、撮像装置から受信した位置情報に基づいて、データベースに保持された撮影推奨情報から、当該撮像装置の現在位置付近の好適な撮影場所を抽出し、当該撮影場所に関する情報を撮像装置に送信する。そして、撮像装置は、サーバから受信した情報に基づいて、当該撮像装置のユーザに対し、音声等により撮影場所を報知する。
【先行技術文献】
【特許文献】
【０００３】
【特許文献１】特開２００５−４５３９８号公報
【発明の概要】
【発明が解決しようとする課題】
【０００４】
しかしながら、特許文献１に記載の技術では、撮像装置のユーザに対して好適な撮影場所をアドバイスする技術に過ぎず、撮像装置のユーザは、当該アドバイスによる撮影場所での撮影により実際にどのような撮影画像を得ることができるのかを把握することができない。したがって、利便性の向上が図れない、という問題がある。
【０００５】
本発明は、上記に鑑みてなされたものであって、利便性の向上が図れる表示装置、表示システム、表示方法、及び表示プログラムを提供することを目的とする。
【課題を解決するための手段】
【０００６】
上述した課題を解決し、目的を達成するために、本発明に係る表示装置は、基準画像データを取得する基準画像取得部と、前記基準画像データの撮影位置を示す基準位置に対して、所定距離の範囲内で撮影された関連画像データを取得する関連画像取得部と、画像を表示する表示部と、前記基準画像データに対応する基準画像、及び前記関連画像データに対応する関連画像を前記表示部に表示させる表示制御部とを備え、前記関連画像取得部は、複数の前記関連画像データを取得し、前記複数の関連画像データは、前記基準位置に対して第１距離未満の範囲内で撮像された第１関連画像データと、前記基準位置に対して第１距離以上、第２距離未満の範囲内で撮像された第２関連画像データとを備え、前記表示制御部は、第１領域に前記基準画像、及び前記第１関連画像データに対応する第１関連画像を配置するとともに、前記第１領域とは異なる第２領域に前記第２関連画像データに対応する第２関連画像を配置した表示画面を前記表示部に表示させることを特徴とする。
【０００７】
また、本発明に係る表示システムは、上述した表示装置と、前記表示装置と通信を行うサーバとを備えた表示システムにおいて、前記サーバは、前記表示装置との間で通信を行うサーバ側通信部と、前記サーバ側通信部を介して、前記基準位置情報を前記表示装置から受信するサーバ側通信制御部と、画像データ、及び当該画像データの撮影位置を示す撮影位置情報が互いに関連付けられた参照情報を複数、記録するデータベースと、前記サーバ側通信部を介して受信した前記基準位置情報に基づく基準位置と、前記データベースに記録された前記複数の参照情報に含まれる複数の前記撮影位置情報に基づく各撮影位置との各距離を算出する距離算出部と、前記距離算出部にて算出された前記各距離に基づいて、前記データベースに記録された前記複数の参照情報から前記関連画像データを抽出する関連画像抽出部とを備え、前記サーバ側通信制御部は、前記サーバ側通信部を介して、前記関連画像抽出部にて抽出された前記関連画像データを前記表示装置に送信することを特徴とする。
【０００８】
また、本発明に係る表示方法は、表示装置が行う表示方法において、基準画像データを取得する第１取得ステップと、前記基準画像データの撮影位置を示す基準位置に対して、所定距離の範囲内で撮影された関連画像データを取得する第２取得ステップと、前記基準画像データに対応する基準画像、及び前記関連画像データに対応する関連画像を表示部に表示させる表示ステップとを含み、前記第２取得ステップでは、複数の前記関連画像データを取得し、前記複数の関連画像データは、前記基準位置に対して第１距離未満の範囲内で撮像された第１関連画像データと、前記基準位置に対して第１距離以上、第２距離未満の範囲内で撮像された第２関連画像データとを備え、前記表示ステップでは、第１領域に前記基準画像、及び前記第１関連画像データに対応する第１関連画像を配置するとともに、前記第１領域とは異なる第２領域に前記第２関連画像データに対応する第２関連画像を配置した表示画面を前記表示部に表示させることを特徴とする。
【０００９】
また、本発明に係る表示プログラムは、上述した表示方法を表示装置に実行させることを特徴とする。
【発明の効果】
【００１０】
本発明に係る表示装置は、基準画像データ（ライブビュー表示等ではライブビュー画像データ）と、当該基準画像データの撮影位置（基準位置）に対して所定距離の範囲内で撮影された関連画像データとを取得し、当該基準画像データに対応する基準画像、及び当該関連画像データに対応する関連画像を表示する。
このため、表示装置のユーザは、関連画像を確認することにより、基準位置の周辺での撮影により実際にどのような撮影画像を得ることができるのかを明確に把握することができる。したがって、本発明に係る表示装置によれば、利便性の向上が図れる、という効果を奏する。
【００１１】
本発明に係る表示システムは、上述した表示装置を備えるため、上述した表示装置と同様の効果を奏する。
本発明に係る表示方法は、上述した表示装置が行う方法であるため、上述した表示装置と同様の効果を奏する。
本発明に係る表示プログラムは、上述した表示装置にて実行されるプログラムであるため、上述した表示装置と同様の効果を奏する。
【図面の簡単な説明】
【００１２】
【図１】図１は、本発明の実施の形態１に係る表示システムの構成を模式的に示す図である。
【図２】図２は、図１に示したレンズ型カメラの構成を示すブロック図である。
【図３】図３は、図１に示した表示装置本体の構成を示すブロック図である。
【図４】図４は、図１に示したサーバの構成を示すブロック図である。
【図５】図５は、図１及び図２に示したレンズ型カメラの動作を示すフローチャートである。
【図６】図６は、図１及び図３に示した表示装置本体の動作を示すフローチャートである。
【図７】図７は、図６に示した関連画像表示処理（ステップＳ２０９，Ｓ２１７，Ｓ２２９）を示すフローチャートである。
【図８】図８は、図７に示した表示画面生成処理（ステップＳ２３４）を示すフローチャートである。
【図９】図９は、図７及び図８に示した表示画面生成処理（ステップＳ２３４）を説明するための図である。
【図１０】図１０は、図７及び図８に示した表示画面生成処理（ステップＳ２３４）を説明するための図である。
【図１１】図１１は、図７に示したステップＳ２３５を説明するための図である。
【図１２Ａ】図１２Ａは、図７に示したステップＳ２３６，Ｓ２３７を説明するための図である。
【図１２Ｂ】図１２Ｂは、図７に示したステップＳ２３６，Ｓ２３７を説明するための図である。
【図１３】図１３は、図１及び図４に示したサーバの動作を示すフローチャートである。
【図１４】図１４は、本発明の実施の形態２に係る表示装置本体の構成を示すブロック図である。
【図１５】図１５は、本発明の実施の形態２に係るサーバの構成を示すブロック図である。
【図１６】図１６は、本発明の実施の形態２に係る関連画像表示処理（ステップＳ２０９，Ｓ２１７，Ｓ２２９）を示すフローチャートである。
【図１７】図１７は、図１５に示したサーバの動作を示すフローチャートである。
【図１８】図１８は、図１７に示したステップＳ３１８で生成される経路画像データに対応する経路画像の一例を示す図である。
【図１９】図１９は、本発明の実施の形態３に係るレンズ型カメラの構成を示すブロック図である。
【図２０】図２０は、本発明の実施の形態３に係る表示装置本体の構成を示すブロック図である。
【図２１】図２１は、図１９に示したレンズ型カメラの動作を示すフローチャートである。
【図２２】図２２は、図２０に示した表示装置本体の動作を示すフローチャートである。
【図２３】図２３は、本発明の実施の形態３に係る関連画像表示処理（ステップＳ２０９Ｂ，Ｓ２１７Ｂ，Ｓ２２９Ｂ）を示すフローチャートである。
【図２４】図２４は、本発明の実施の形態４に係るレンズ型カメラの構成を示すブロック図である。
【図２５】図２５は、本発明の実施の形態４に係る表示装置本体の構成を示すブロック図である。
【図２６】図２６は、図２４に示したレンズ型カメラの動作を示すフローチャートである。
【図２７】図２７は、本発明の実施の形態４に係る関連画像表示処理（ステップＳ２０９Ｂ，Ｓ２１７Ｂ，Ｓ２２９Ｂ）を示すフローチャートである。
【発明を実施するための形態】
【００１３】
以下に、図面を参照して、本発明を実施するための形態（以下、実施の形態と記載）について説明する。なお、以下に説明する実施の形態によって本発明が限定されるものではない。さらに、図面の記載において、同一の部分には同一の符号を付している。
【００１４】
（実施の形態１）
〔表示システムの概略構成〕
図１は、本発明の実施の形態１に係る表示システム１の構成を模式的に示す図である。
表示システム１は、カメラユーザが被写体を撮影した場合に、当該撮影による撮影画像と、当該撮影場所の近くで撮影された関連画像とを表示するシステムである。この表示システム１は、図１に示すように、表示装置２と、サーバ３とを備える。
【００１５】
〔表示装置の構成〕
表示装置２は、図１に示すように、レンズ型カメラ４と、表示装置本体５と、アタッチメント６とを備える。
アタッチメント６は、レンズ型カメラ４及び表示装置本体５を機械的に接続する部材である。
より具体的に、アタッチメント６は、図１に示すように、表示装置本体５の背面に挿着される。また、アタッチメント６には、平面視で円形状を有し、レンズ型カメラ４が嵌め込まれる取付用孔６Ａが設けられている。
そして、アタッチメント６を介してレンズ型カメラ４及び表示装置５が機械的に接続された状態では、表示装置２の全体形状は、デジタルカメラをイメージする形状となる。
なお、表示装置２としては、アタッチメント６を備えた構成に限られず、アタッチメント６を省略した構成としても構わない。
【００１６】
〔レンズ型カメラの構成〕
以下では、レンズ型カメラ４の構成として、本発明の要部を主に説明する。
図２は、レンズ型カメラ４の構成を示すブロック図である。
レンズ型カメラ４は、本発明に係る撮像部としての機能を有する。そして、レンズ型カメラ４は、図２に示すように、光学系４１と、駆動部４２と、位置検出部４３と、操作部４４と、カメラ側時計部４５と、カメラ側撮像部４６と、カメラ側メモリ部４７と、カメラ側記録部４８と、カメラ側通信部４９と、カメラ側制御部５０とを備える。そして、これら各部材４１〜５０は、全体略円筒形状を有するレンズ鏡筒４０（図１）内部に収納される。すなわち、レンズ型カメラ４の全体形状は、図１に示すように、所謂交換レンズの全体形状と略同様の形状を有する。
【００１７】
光学系４１は、所定の視野領域から光を集光し、この集光した光を、カメラ側撮像部４６を構成する撮像素子（図示略）の撮像面に結像する。この光学系４１は、図２に示すように、ズームレンズ４１１と、フォーカスレンズ４１２とを備える。
ズームレンズ４１１は、一または複数のレンズを用いて構成され、図２に破線で示した光軸に沿って移動することにより、光学系４１のズーム倍率を変更する。
フォーカスレンズ４１２は、一または複数のレンズを用いて構成され、図２に破線で示した光軸に沿って移動することにより、光学系４１のピント位置及び焦点距離を変更する。
【００１８】
駆動部４２は、カメラ側制御部５０による制御の下、光学系４１を構成する各レンズ４１１，４１２を光軸に沿って移動させる。この駆動部４２は、図２に示すように、ズーム駆動部４２１と、フォーカス駆動部４２２とを備える。
ズーム駆動部４２１は、ステッピングモータやＤＣモータ等を用いて構成され、ズームレンズ４１１を光軸に沿って移動させる。
フォーカス駆動部４２２は、ステッピングモータやＤＣモータ等を用いて構成され、フォーカスレンズ４１２を光軸に沿って移動させる。
【００１９】
位置検出部４３は、光学系４１を構成する各レンズ４１１，４１２の光軸上の位置を検出する。この位置検出部４３は、図２に示すように、ズーム位置検出部４３１と、フォーカス位置検出部４３２とを備える。
ズーム位置検出部４３１は、フォトインタラプタ等を用いて構成され、ズーム駆動部４２１にて駆動されたズームレンズ４１１の光軸上の位置を検出する。
具体的には、ズーム位置検出部４３１は、ズーム駆動部４２１に含まれる駆動用モータの回転量をパルス数に変換し、変換したパルス数に基づいて、無限遠を基準とする基準位置からのズームレンズ４１１の光軸上の位置を検出する。
フォーカス位置検出部４３２は、フォトインタラプタ等を用いて構成され、ズーム位置検出部４３１と同様の方法により、フォーカス駆動部４２２にて駆動されたフォーカスレンズ４１２の光軸上の位置を検出する。
【００２０】
操作部４４は、レンズ鏡筒４０の周囲に設けられる操作リング、レンズ鏡筒４０の外面に設けられるボタンやスイッチ等であり、光学系４１内のズームレンズ４１１やフォーカスレンズ４１２の光軸上の位置の変更操作等のユーザ操作を受け付ける。そして、操作部４４は、当該ユーザ操作に応じた指示信号をカメラ側制御部５０に出力する。
【００２１】
カメラ側時計部４５は、計時機能の他、カメラ側撮像部４６にて撮像された日時に関する日時情報（以下、第１タイムスタンプと記載）を生成する機能を有する。そして、カメラ側時計部４５にて生成された第１タイムスタンプは、カメラ側制御部５０に出力される。
なお、タイムスタンプの生成については、機器で厳密な時刻合わせをする必要があるとは限らず、撮影時に他の機器と通信して取得するような応用が可能であることは言うまでもない。以下で記載するタイムスタンプについても同様である。
【００２２】
カメラ側撮像部４６は、カメラ側制御部５０による制御の下、被写体を撮像して画像データを生成する。このカメラ側撮像部４６は、光学系４１が結像した被写体像を受光して電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。そして、カメラ側撮像部４６にて順次、生成された画像データ（以下、ライブビュー画像データと記載）は、カメラ側制御部５０による制御の下、当該ライブビュー画像データが生成された日時に関する第１タイムスタンプが付加されて、順次、カメラ側メモリ部４７に記憶される。また、カメラユーザによる表示装置本体５への撮影操作に応じてカメラ側撮像部４６にて生成された画像データ（以下、撮影画像データと記載）は、当該撮影画像データが生成された日時に関する第１タイムスタンプ、及び表示装置本体５から受信した撮影位置を示す撮影位置情報が付加されて、カメラ側記録部４８に記録される。
【００２３】
カメラ側メモリ部４７は、カメラ側撮像部４６にて生成されたライブビュー画像データ（第１タイムスタンプを含む）を順次、記憶する。
カメラ側記録部４８は、カメラ側制御部５０が実行する各種プログラムや、光学系４１の倍率、焦点距離、画角、収差及びＦ値（明るさ）等の光学系４１の特性に関する特性情報等を記録する。また、カメラ側記録部４８は、カメラユーザによる表示装置本体５への撮影操作に応じて、カメラ側制御部５０による制御の下、カメラ側撮像部４６にて生成された撮影画像データ（第１タイムスタンプ及び撮影位置情報を含む）を記録する。
【００２４】
カメラ側通信部４９は、カメラ側制御部５０による制御の下、表示装置本体５との間で通信に必要な信号を含む各種データの無線通信を行うための通信インターフェースである。
本実施の形態１では、当該無線通信の通信方式として、Ｗｉ−Ｆｉ（Ｗｉｒｅｌｅｓｓ  Ｆｉｄｅｌｉｔｙ）（登録商標）を採用している。なお、当該無線通信の通信方式としては、Ｗｉ−Ｆｉ（登録商標）の他、ＷｉＭＡＸ（Ｗｏｒｌｄｗｉｄｅ  Ｉｎｔｅｒｏｐｅｒａｂｉｉｔｙ  ｆｏｒ  Ｍｉｃｒｏｗａｖｅ  Ａｃｃｅｓｓ）（登録商標）等、他の通信方式を採用しても構わない。
例えば、Ｗｉ−Ｆｉ（登録商標）の場合、ローカルネットワークを想定し、機器の役割として、アクセスポイント、ステーションの関係があり、概略の接続処理としては、アクセスポイントが構築している無線ネットワークに、ステーションが接続する関係となる。
大まかな接続シーケンスとしては、（Ｓｔｅｐ１）アクセスポイントは、無線ネットワークを構築し、自分のネットワーク識別子（ＳＳＩＤ）を報知する、（Ｓｔｅｐ２）ステーションは、報知されているネットワーク識別子（ＳＳＩＤ）を検索し、所望のネットワーク（アクセスポイント）に接続する、というＳｔｅｐ１，２を踏み、多くの機器とのネットワークを想定するので、カバー範囲が広く、干渉の問題を考慮しながら厳密な識別ステップを踏むことになる。このため、接続確立に時間が掛かることがある。ただし、データ通信は、アクセスポイント、ステーションそれぞれのタイミングでデータの送受信が可能である。ここでは、レンズ型カメラ４をアクセスポイント、表示装置本体５をステーションと考えればよい。なお、この関係は逆でもよい。１０メガビット／秒以上という速度で通信することができるので画像も高速で送信することができる。
【００２５】
カメラ側制御部５０は、ＣＰＵ（Ｃｅｎｔｒａｌ  Ｐｒｏｃｅｓｓｉｎｇ  Ｕｎｉｔ）等を用いて構成され、操作部４４からの指示信号や、カメラ側通信部４９を介して入力される表示装置本体５からの指示信号に応じてレンズ型カメラ４全体の動作を制御する。このカメラ側制御部５０は、図２に示すように、カメラ側通信制御部５０１と、カメラ側撮像制御部５０２とを備える。
カメラ側通信制御部５０１は、カメラ側通信部４９を介して、表示装置本体５との間でＷｉ−Ｆｉ（登録商標）等の通信方式による通信接続を確立する。
そして、カメラ側通信制御部５０１は、表示装置本体５から、ライブビュー画像データの送信要求、撮影指示（撮影位置を示す撮影位置情報を含む）、カメラ側記録部４８に記録された複数の撮影画像データをサムネイル表示した画像一覧の送信要求、及び、画像一覧中の一の撮影画像に対応する対応画像データの送信要求を受信する。これらの受信に応じて、カメラ側通信制御部５０１は、カメラ側メモリ部４７に記憶された最新のライブビュー画像データ（第１タイムスタンプを含む）、カメラ側記録部４８に記録された最新の撮影画像データ（第１タイムスタンプ及び撮影位置情報を含む）、画像一覧、及び対応画像データ（第１タイムスタンプ及び撮影位置情報を含む）を表示装置本体５に送信する。ここで、「最新」とは、タイムスタンプに基づく日時上、最新という意味である（以下、同様）。
また、カメラ側通信制御部５０１は、カメラ側記録部４８に記録された特性情報、位置検出部４３が検出したズームレンズ４１１及びフォーカスレンズ４１２の各位置に関するレンズ位置情報を表示装置本体５に送信する。
さらに、カメラ側通信制御部５０１は、表示装置本体５から、撮影パラメータの変更指示を受信する。ここで、撮影パラメータとしては、焦点距離、焦点位置、絞り値、シャッタスピード、露出値、ＩＳＯ感度、彩度、及び色相等が挙げられる。
【００２６】
カメラ側撮像制御部５０２は、カメラ側撮像部４６にて生成されたライブビュー画像データに当該ライブビュー画像データが生成された日時に関する第１タイムスタンプを付加して、順次、カメラ側メモリ部４７に記憶する。また、カメラ側撮像制御部５０２は、カメラユーザによる表示装置本体５への撮影操作に応じて、カメラ側撮像部４６に被写体を撮像させ、カメラ側撮像部４６にて生成された撮影画像データに当該撮影画像データが生成された日時に関する第１タイムスタンプ、及び表示装置本体５から受信した撮影位置情報を付加して、カメラ側記録部４８に記録する。さらに、カメラ側撮像制御部５０２は、カメラ側通信部４９を介して表示装置本体５から受信した撮影パラメータの変更指示に応じて、駆動部４２等の動作を制御し、撮影パラメータを変更する。
【００２７】
〔表示装置の構成〕
以下では、表示装置本体５の構成として、本発明の要部を主に説明する。
図３は、表示装置本体５の構成を示すブロック図である。
表示装置本体５は、例えば、デジタルカメラ、デジタルビデオカメラ、または携帯電話やタブレット型携帯機器等として構成される。この表示装置本体５は、図３に示すように、入力部５１と、表示部５２と、本体側時計部５３と、本体側撮像部５４と、位置取得部５５と、本体側メモリ部５６と、本体側記録部５７と、本体側通信部５８と、本体側制御部５９とを備える。
【００２８】
入力部５１は、ユーザ操作を受け付けるボタン、スイッチ、タッチパネル等を用いて構成され、当該ユーザ操作に応じた指示信号を本体側制御部５９に出力する。
そして、入力部５１は、本発明に係る操作受付部としての機能を有する。
表示部５２は、液晶または有機ＥＬ（Ｅｌｅｃｔｒｏ  Ｌｕｍｉｎｅｓｃｅｎｃｅ）等からなる表示パネルを用いて構成され、表示装置本体５の前面（図１１参照）に設けられる。そして、表示部５２は、本体側制御部５９による制御の下、所定の画像を表示する。
【００２９】
本体側時計部５３は、計時機能の他、本体側撮像部５４にて撮像された日時に関する日時情報（以下、第２タイムスタンプと記載）を生成する機能を有する。そして、本体側時計部５３にて生成された第２タイムスタンプは、本体側制御部５９に出力される。
本体側撮像部５４は、本体側制御部５９による制御の下、被写体を撮像して画像データ（以下、インカメラ画像データと記載）を生成する。この本体側撮像部５４は、被写体像を結像する光学系（図示略）、当該光学系が結像した被写体像を受光して電気信号に変換するＣＣＤ等の撮像素子（図示略）、当該撮像素子からの電気信号（アナログ信号）に対して信号処理（Ａ／Ｄ変換等）を行うことによりデジタルの画像データを生成する信号処理部等を用いて構成される。そして、本体側撮像部５４にて生成されたインカメラ画像データは、本体側制御部５９による制御の下、当該インカメラ画像データが生成された日時に関する第２タイムスタンプが付加されて、本体側記録部５７に記録される。
【００３０】
位置取得部５５は、地上の物体の位置を測定する測定手段であるＧＰＳ（Ｇｌｏｂａｌ  Ｐｏｓｉｔｉｏｎｉｎｇ  Ｓｙｓｔｅｍ）を構成する複数のＧＰＳ衛星から送信されてくる衛星の軌道情報を受信し、この受信した軌道情報に基づいて、表示装置本体５の現在位置（撮影位置）に関する撮影位置情報（経度や緯度に関する情報）を取得する。勿論、この技術に限定されるものではなく、各種衛星を使った位置測定方法や、無線基地局等からの情報や、無線基地局を判定しての位置測定方法等を使った技術を利用してもよい。また、加速度センサや地磁気センサや地図情報から、特定の位置からの移動を検出して得られる相対的な位置情報であってもよい。民生用のカメラ以外に応用する場合には、例えば、顕微鏡等ではステージの移動を検出して得られた値でもよく、医療用の装置では、磁界を発生させてそれを検出するような専用の位置検出方法を利用してもよい。臓器内の移動距離等を使ってもよい。いずれの方式であっても、関連した画像が近くで得られたかどうかが分かればよい。
本体側メモリ部５６は、本体側通信部５８を介してレンズ型カメラ４やサーバ３から受信した情報や、本体側制御部５９による制御の下、本体側記録部５７に記録された第１〜第３抽出範囲情報のうち、本体側制御部５９にて読み出された一の抽出範囲情報を記憶する。
【００３１】
本体側記録部５７は、図３に示すように、プログラム記録部５７１と、画像データ記録部５７２とを備える。
プログラム記録部５７１は、本体側制御部５９が実行する各種プログラム（表示プログラムを含む）、及びプログラムの実行中に使用される各種データ等を記録する。
画像データ記録部５７２は、レンズ型カメラ４にて生成された撮影画像データ（第１タイムスタンプ及び撮影位置情報を含む）、及び本体側撮像部５４にて生成されたインカメラ画像データ（第２タイムスタンプを含む）を記録する。
【００３２】
また、本体側記録部５７には、レンズ型カメラ４と通信を行うために必要なレンズ型カメラ４の通信仕様情報や、サーバ３におけるインターネット網Ｎ上の所在位置を示す所在位置情報（ＵＲＬ（Ｕｎｉｆｏｒｍ  Ｒｅｓｏｕｒｃｅ  Ｌｏｃａｔｏｒ））が記録されている。
【００３３】
さらに、本体側記録部５７には、サーバ３にて関連画像データを抽出する際に用いられる第１〜第３抽出範囲情報が記録されている。
ここで、各抽出範囲情報は、第１〜第３距離（第１距離が最も小さく、第３距離が最も大きい）を示す各情報をそれぞれ有する。
例えば、第１抽出範囲情報は、第１距離が「１２５ｍ」、第２距離が「２５０ｍ」、第３距離が「５００ｍ」に設定されている。第２抽出範囲情報は、第１距離が「２５０ｍ」、第２距離が「５００ｍ」、第３距離が「１ｋｍ」に設定されている。第３抽出範囲情報は、第１距離が「５００ｍ」、第２距離が「１ｋｍ」、第３距離が「２ｋｍ」に設定されている。
【００３４】
本体側通信部５８は、本発明に係る表示側通信部としての機能を有する。そして、本体側通信部５８は、本体側制御部５９による制御の下、レンズ型カメラ４やサーバ３との間で通信に必要な信号を含む各種データの無線通信をＷｉ−Ｆｉ（登録商標）等の通信方式により行うための通信インターフェースである。
【００３５】
本体側制御部５９は、ＣＰＵ等を用いて構成され、入力部５１からの指示信号等に応じて表示装置本体５を構成する各部に対応する指示やデータの転送等を行って表示装置本体５の動作を統括的に制御する。この本体側制御部５９は、図３に示すように、本体側通信制御部５９１と、本体側撮像制御部５９２と、本体側表示制御部５９３とを備える。
【００３６】
本体側通信制御部５９１は、表示装置本体５がカメラ通信モード（レンズ型カメラ４を利用して被写体を撮影するモード）に設定されている場合に、以下の処理を実行する。
具体的に、本体側通信制御部５９１は、本体側記録部５７に記録されたレンズ型カメラ４の通信仕様情報に基づいて、本体側通信部５８を介して、表示装置本体５との間でＷｉ−Ｆｉ（登録商標）等の通信方式による通信接続を確立する。そして、本体側通信制御部５９１は、レンズ型カメラ４に対し、ライブビュー画像データ、画像一覧、及び対応画像データの各送信要求を行い、当該ライブビュー画像データ、画像一覧、及び対応画像データをそれぞれ受信する。また、本体側通信制御部５９１は、レンズ型カメラ４から、特性情報及びレンズ位置情報等を受信する。
なお、対応画像データの送信要求については、本体側通信制御部５９１は、カメラユーザによる入力部５１へのユーザ操作（画像一覧中の一画像を選択する選択操作）に応じて実行するものである。
【００３７】
また、本体側通信制御部５９１は、本体側記録部５７に記録されたサーバ３の所在位置情報（ＵＲＬ）に基づいて、本体側通信部５８を介して、インターネット網Ｎに接続されたサーバ３にアクセス信号（対応画像データの記録要求や関連画像データの送信要求（自身の表示装置本体５を識別する識別情報を含む））を送信し、サーバ３との間で通信接続を確立する。そして、本体側通信制御部５９１は、サーバ３に記録させるための対応画像データ（第１タイムスタンプ及び撮影位置情報を含む）やサーバ３にて関連画像データを抽出させるための撮影位置情報（基準位置情報）及び抽出範囲情報（第１〜第３抽出範囲情報のいずれか）をサーバ３に送信するとともに、関連画像データをサーバ３から受信する。
すなわち、本体側通信制御部５９１は、本発明に係る関連画像取得部としての機能を有する。
なお、対応画像データの記録要求については、本体側通信制御部５９１は、カメラユーザによる入力部５１へのユーザ操作（対応画像データをサーバ３に記録させるためのアップ操作）に応じて実行するものである。また、関連画像データの送信要求については、本体側通信制御部５９１は、関連画像の表示フラグがオン状態である場合に実行するものである。この表示フラグは、カメラユーザによる入力部５１へのユーザ操作に応じて、オン状態あるいはオフ状態になるフラグであり、本体側メモリ部５６に記憶されている。
【００３８】
本体側撮像制御部５９２は、表示装置本体５がカメラ通信モードに設定されている場合には、以下の処理を実行する。
具体的に、本体側撮像制御部５９２は、カメラユーザによる入力部５１への撮影操作に応じて、本体側通信部５８を介して、撮影を行う旨の撮影指示（当該撮影操作が行われた際に位置取得部５５にて取得された撮影位置情報を含む）をレンズ型カメラ４に送信する。そして、本体側撮像制御部５９２は、レンズ型カメラ４から撮影画像データ（第１タイムスタンプ及び撮影位置情報を含む）が転送された場合に、当該撮影画像データを画像データ記録部５７２に記録する。また、本体側撮像制御部５９２は、カメラユーザによる入力部５１への変更操作（レンズ型カメラ４における撮影パラメータを変更するユーザ操作）に応じて、本体側通信部５８を介して、撮影パラメータの変更指示をレンズ型カメラ４に送信する。
【００３９】
一方、本体側撮像制御部５９２は、表示装置本体５が通常撮影モード（本体側撮像部５４を利用して被写体を撮影するモード）に設定されている場合には、以下の処理を実行する。
具体的に、本体側撮像制御部５９２は、表示装置本体５のユーザによる入力部５１への撮影操作に応じて、本体側撮像部５４に被写体を撮像させ、本体側撮像部５４にて生成されたインカメラ画像データ（第２タイムスタンプを含む）を画像データ記録部５７２に記録する。
【００４０】
本体側表示制御部５９３は、本発明に係る表示制御部としての機能を有する。そして、本体側表示制御部５９３は、本体側メモリ部５６に記憶されたライブビュー画像データに対応するライブビュー画像、画像データ記録部５７２に記録された撮影画像データに対応する撮影画像、本体側通信部５８を介してレンズ型カメラ４から受信した対応画像データに対応する対応画像等を表示部５２に表示させる。
また、本体側表示制御部５９３は、関連画像の表示フラグがオン状態である場合に、ライブビュー画像、撮影画像、あるいは、対応画像とともに、関連画像を表示する表示画面を生成し、当該表示画面を表示部５２に表示させる。
【００４１】
〔サーバの構成〕
サーバ３は、表示装置本体５からの対応画像データの記録要求に応じて、当該対応画像データをデータベースにて管理する。また、サーバ３は、表示装置本体５からの関連画像データの送信要求に応じて、当該データベースから関連画像データを抽出し、当該関連画像データを表示装置本体５に送信する。
以下では、サーバ３の構成として、本発明の要部を主に説明する。
図４は、サーバ３の構成を示すブロック図である。
サーバ３は、図４に示すように、サーバ側通信部３１と、データベース３２と、サーバ側制御部３３とを備える。
【００４２】
サーバ側通信部３１は、サーバ側制御部３３による制御の下、表示装置本体５との間で通信に必要な信号を含む各種データの無線通信をＷｉ−Ｆｉ（登録商標）等の通信方式により行うための通信インターフェースである。
データベース３２は、サーバ側制御部３３による制御の下、サーバ側通信部３１を介して表示装置本体５から受信した対応画像データ（第１タイムスタンプ及び撮影位置情報を含む）を記録する。
【００４３】
サーバ側制御部３３は、ＣＰＵ等を用いて構成され、サーバ３の動作を統括的に制御する。このサーバ側制御部３３は、図４に示すように、サーバ側通信制御部３３１と、端末判定部３３２と、データベース管理部３３３と、距離算出部３３４と、関連画像抽出部３３５とを備える。
サーバ側通信制御部３３１は、サーバ側通信部３１及びインターネット網Ｎを介して表示装置本体５から送信されるアクセス信号（対応画像データの記録要求や関連画像データの送信要求（当該表示装置本体５の識別情報を含む））に応じて、サーバ側通信部３１の動作を制御し、表示装置本体５との間で通信接続を確立する。そして、サーバ側通信制御部３３１は、表示装置本体５から、データベース３２に記録させる対応画像データ、距離算出部３３４及び関連画像抽出部３３５の処理に用いられる撮影位置情報及び抽出範囲情報（第１〜第３抽出範囲情報のいずれか）を受信するとともに、関連画像抽出部３３５にて抽出された関連画像データを当該表示装置本体５に送信する。
【００４４】
端末判定部３３２は、インターネット網Ｎを介して表示装置本体５から送信されるアクセス信号に基づいて、アクセスしてきた送信元の表示装置本体５を判定（特定）する。
データベース管理部３３３は、サーバ側通信部３１を介して表示装置本体５から受信した対応画像データ（第１タイムスタンプ及び撮影位置情報を含む）を順次、データベース３２に記録する。
【００４５】
距離算出部３３４は、サーバ側通信部３１を介して表示装置本体５から関連画像データの送信要求とともに受信した撮影位置情報（基準位置情報）と、データベース３２に記録された複数の対応画像データに含まれる各撮影位置情報とに基づいて、撮影位置間の距離を算出する。
具体的に、距離算出部３３４は、表示装置本体５から受信した撮影位置情報（基準位置情報）に基づく撮影位置を基準位置とする。そして、距離算出部３３４は、当該基準位置と、データベース３２に記録された複数の対応画像データに含まれる各撮影位置情報に基づく各撮影位置との間の各距離を算出する。
【００４６】
関連画像抽出部３３５は、サーバ側通信部３１を介して表示装置本体５から関連画像データの送信要求とともに受信した抽出範囲情報（第１〜第３抽出範囲情報のいずれか）と、距離算出部３３４にて算出された各距離とに基づいて、データベース３２に記録された複数の対応画像データから関連画像データを抽出する。
具体的に、関連画像抽出部３３５は、基準位置からの距離が表示装置本体５から受信した抽出範囲情報（第１〜第３抽出範囲情報のいずれか）に基づく第１距離未満の範囲内となる撮影位置で撮影された対応画像データを第１関連画像データとして抽出する。また、関連画像抽出部３３５は、基準位置からの距離が第１距離以上、当該抽出範囲情報に基づく第２距離未満の範囲内となる撮影位置で撮影された対応画像データを第２関連画像データとして抽出する。さらに、関連画像抽出部３３５は、基準位置からの距離が第２距離以上、当該抽出範囲情報に基づく第３距離未満の範囲内となる撮影位置で撮影された対応画像データを第３関連画像データとして抽出する。
【００４７】
〔表示システムの動作〕
次に、上述した表示システム１の動作について説明する。
以下、表示システム１の動作として、レンズ型カメラ４の動作、表示装置本体５の動作、及びサーバ３の動作の順に説明する。
【００４８】
〔レンズ型カメラの動作〕
図５は、レンズ型カメラ４の動作を示すフローチャートである。
カメラユーザによる操作部４４への操作によってレンズ型カメラ４の電源がオンになる（ステップＳ１０１：Ｙｅｓ）と、カメラ側通信制御部５０１は、カメラ側通信部４９を介して、表示装置本体５からライブビュー画像データの送信要求を受信したか否かを判断する（ステップＳ１０２）。
ライブビュー画像データの送信要求を受信していないと判断された場合（ステップＳ１０２：Ｎｏ）には、レンズ型カメラ４は、ステップＳ１１１に移行する。
【００４９】
一方、ライブビュー画像データの送信要求を受信したと判断された場合（ステップＳ１０２：Ｙｅｓ）には、カメラ側撮像制御部５０２は、カメラ側撮像部４６に撮像を開始させる（ステップＳ１０３）。カメラ側撮像部４６にて生成されたライブビュー画像データ（第１タイムスタンプを含む）は、順次、カメラ側メモリ部４７に記憶される。
続いて、カメラ側通信制御部５０１は、カメラ側通信部４９を介して、カメラ側メモリ部４７に記憶された最新のライブビュー画像データ（第１タイムスタンプを含む）を表示装置本体５に送信する（ステップＳ１０４）。
【００５０】
続いて、カメラ側通信制御部５０１は、カメラ側通信部４９を介して、表示装置本体５から撮影パラメータの変更指示を受信したか否かを判断する（ステップＳ１０５）。
撮影パラメータの変更指示を受信していないと判断された場合（ステップＳ１０５：Ｎｏ）には、レンズ型カメラ４は、ステップＳ１０７に移行する。
一方、撮影パラメータの変更指示を受信したと判断された場合（ステップＳ１０５：Ｙｅｓ）には、カメラ側撮像制御部５０２は、駆動部４２等の動作を制御し、撮影パラメータを変更する（ステップＳ１０６）。
【００５１】
ステップＳ１０６の後、または、ステップＳ１０５で撮影パラメータの変更指示を受信していないと判断された場合（ステップＳ１０５：Ｎｏ）には、カメラ側通信制御部５０１は、カメラ側通信部４９を介して、表示装置本体５から撮影指示（撮影位置情報を含む）を受信したか否かを判断する（ステップＳ１０７）。
撮影指示を受信していないと判断された場合（ステップＳ１０７：Ｎｏ）には、レンズ型カメラ４は、ステップＳ１０１に戻る。
【００５２】
一方、撮影指示を受信したと判断された場合（ステップＳ１０７：Ｙｅｓ）には、カメラ側撮像制御部５０２は、カメラ側撮像部４６に撮像を行わせる（ステップＳ１０８）。
続いて、カメラ側撮像制御部５０２は、ステップＳ１０８での撮像により生成された撮影画像データに対して、第１タイムスタンプ及びステップＳ１０７で受信した撮影位置情報を付加して、カメラ側記録部４８に記録する（ステップＳ１０９）。
続いて、カメラ側通信制御部５０１は、カメラ側通信部４９を介して、カメラ側記録部４８に記録された最新の撮影画像データ（第１タイムスタンプ及び撮影位置情報を含む）を表示装置本体５に送信する（ステップＳ１１０）。この後、レンズ型カメラ４は、ステップＳ１０１に戻る。
【００５３】
ステップＳ１０２でライブビュー画像データの送信要求を受信していないと判断した場合（ステップＳ１０２：Ｎｏ）には、カメラ側通信制御部５０１は、カメラ側通信部４９を介して、表示装置本体５から画像一覧の送信要求を受信したか否かを判断する（ステップＳ１１１）。
画像一覧の送信要求を受信していないと判断された場合（ステップＳ１１１：Ｎｏ）には、レンズ型カメラ４は、ステップＳ１１５に移行する。
一方、画像一覧の送信要求を受信したと判断した場合（ステップＳ１１１：Ｙｅｓ）には、カメラ側通信制御部５０１は、カメラ側通信部４９を介して、カメラ側記録部４８に記録された複数の撮影画像データをサムネイル表示した画像一覧を表示装置本体５に送信する（ステップＳ１１２）。
【００５４】
続いて、カメラ側通信制御部５０１は、カメラ側通信部４９を介して、画像一覧中の一画像に対応する対応画像データの送信要求を受信したか否かを判断する（ステップＳ１１３）。
対応画像データの送信要求を受信していないと判断された場合（ステップＳ１１３：Ｎｏ）には、レンズ型カメラ４は、ステップＳ１０１に戻る。
一方、対応画像データの送信要求を受信したと判断した場合（ステップＳ１１３：Ｙｅｓ）には、カメラ側通信制御部５０１は、カメラ側通信部４９を介して、カメラ側記録部４８に記録された対応画像データ（第１タイムスタンプ及び撮影位置情報を含む）を表示装置本体５に送信する（ステップＳ１１４）。この後、レンズ型カメラ４は、ステップＳ１０１に戻る。
【００５５】
ステップＳ１１１で画像一覧の送信要求を受信していないと判断された場合（ステップＳ１１１：Ｎｏ）には、レンズ型カメラ４は、上述した処理とは異なる他の処理を実行する（ステップＳ１１５）。この後、レンズ型カメラ４は、ステップＳ１０１に戻る。
例えば、レンズ型カメラ４は、ステップＳ１１５において、カメラユーザによる操作部４４へのユーザ操作や、カメラ側通信部４９を介して外部機器から受信した情報等に基づいて、通信を行う相手方を設定する処理等を実行する。
【００５６】
〔表示装置本体の動作〕
図６は、表示装置本体５の動作を示すフローチャートである。
なお、以下では、表示装置本体５は、「カメラ通信モード」に設定されているものとする。
カメラユーザによる入力部５１への操作によって表示装置本体５の電源がオンになる（ステップＳ２０１：Ｙｅｓ）と、本体側制御部５９は、表示装置本体５が撮影モード（静止画等を撮影するモード）に設定されているか否かを判断する（ステップＳ２０２）。
撮影モードに設定されていないと判断された場合（ステップＳ２０２：Ｎｏ）には、表示装置本体５は、ステップＳ２１９に移行する。
【００５７】
一方、撮影モードに設定されていると判断された場合（ステップＳ２０２：Ｙｅｓ）には、本体側通信制御部５９１は、本体側通信部５８を介して、レンズ型カメラ４に対してライブビュー画像データの送信要求を行うとともに、レンズ型カメラ４からライブビュー画像データ（第１タイムスタンプを含む）を受信する（ステップＳ２０３）。そして、本体側通信制御部５９１は、当該受信したライブビュー画像データを本体側メモリ部５６に記憶する。
なお、ライブビュー画像データは、本発明に係る基準画像データに相当する。すなわち、本体側通信制御部５９１は、本発明に係る基準画像取得部としての機能を有する。そして、ステップＳ２０３は、本発明に係る第１取得ステップに相当する。
続いて、本体側表示制御部５９３は、本体側メモリ部５６に記憶された最新のライブビュー画像データに対応するライブビュー画像を表示部５２に表示（ライブビュー表示）させる（ステップＳ２０４）。
【００５８】
続いて、本体側制御部５９は、カメラユーザによる入力部５１への撮影パラメータの変更操作があったか否かを判断する（ステップＳ２０５）。
撮影パラメータの変更操作がないと判断された場合（ステップＳ２０５：Ｎｏ）には、表示装置本体５は、ステップＳ２０７に移行する。
一方、撮影パラメータの変更操作があったと判断された場合（ステップＳ２０５：Ｙｅｓ）には、本体側撮像制御部５９２は、本体側通信部５８を介して、撮影パラメータの変更指示をレンズ型カメラ４に送信する（ステップＳ２０６）。
【００５９】
ステップＳ２０６の後、または、ステップＳ２０５で撮影パラメータの変更操作がないと判断した場合（ステップＳ２０５：Ｎｏ）には、本体側制御部５９は、本体側メモリ部５６に記憶された関連画像の表示フラグがオン状態であるか否かを判断する（ステップＳ２０７）。
関連画像の表示フラグがオフ状態であると判断された場合（ステップＳ２０７：Ｎｏ）には、表示装置本体５は、ステップＳ２１０に移行する。
【００６０】
一方、関連画像の表示フラグがオン状態であると判断した場合（ステップＳ２０７：Ｙｅｓ）には、本体側制御部５９は、位置取得部５５にて取得された撮影位置情報を本体側メモリ部５６に記憶する（ステップＳ２０８）。
続いて、本体側制御部５９は、サーバ３から関連画像データを受信し、ライブビュー画像とともに当該関連画像データに対応する関連画像を表示する関連画像表示処理を実行する（ステップＳ２０９）。
なお、関連画像表示処理（ステップＳ２０９）の詳細については、後述する。
【００６１】
ステップＳ２０９の後、または、ステップＳ２０７で関連画像の表示フラグがオフ状態であると判断した場合（ステップＳ２０７：Ｎｏ）には、本体側制御部５９は、カメラユーザによる入力部５１への撮影操作があったか否かを判断する（ステップＳ２１０）。
撮影操作がないと判断された場合（ステップＳ２１０：Ｎｏ）には、表示装置本体５は、ステップＳ２１８に移行する。
一方、撮影操作があったと判断された場合（ステップＳ２１０：Ｙｅｓ）には、本体側撮像制御部５９２は、位置取得部５５にて取得された撮影位置情報を本体側メモリ部５６に記憶する（ステップＳ２１１）。
続いて、本体側撮像制御部５９２は、本体側通信部５８を介して、撮影指示（ステップＳ２１１で本体側メモリ部５６に記憶された撮影位置情報を含む）をレンズ型カメラ４に送信する（ステップＳ２１２）。そして、本体側撮像制御部５９２は、レンズ型カメラ４から転送された撮影画像データ（第１タイムスタンプ及び撮影位置情報を含む）を画像データ記録部５７２に記録する（ステップＳ２１３）。
なお、撮影画像データは、本発明に係る基準画像データに相当する。すなわち、本体側撮像制御部５９２は、本発明に係る基準画像取得部としての機能を有する。また、ステップＳ２１３は、本発明に係る第１取得ステップに相当する。
【００６２】
続いて、本体側制御部５９は、本体側メモリ部５６に記憶された関連画像の表示フラグがオン状態であるか否かを判断する（ステップＳ２１４）。
関連画像の表示フラグがオフ状態であると判断された場合（ステップＳ２１４：Ｎｏ）には、本体側表示制御部５９３は、画像データ記録部５７２に記録された最新の撮影画像データに対応する撮影画像を表示部５２に表示させる（ステップＳ２１５）。
続いて、本体側制御部５９は、カメラユーザによる入力部５１への表示終了操作（撮影画像の表示を終了するユーザ操作）があったか否かを判断する（ステップＳ２１６）。
表示終了操作があったと判断された場合（ステップＳ２１６：Ｙｅｓ）には、表示装置本体５は、ステップＳ２１８に移行する。
一方、表示終了操作がないと判断された場合（ステップＳ２１６：Ｎｏ）には、本体側表示制御部５９３は、ステップＳ２１５に戻り、撮影画像の表示を継続する。
【００６３】
ステップＳ２１４で関連画像の表示フラグがオン状態であると判断した場合（ステップＳ２１４：Ｙｅｓ）には、本体側制御部５９は、サーバ３から関連画像データを受信し、撮影画像とともに当該関連画像データに対応する関連画像を表示する関連画像表示処理を実行する（ステップＳ２１７）。
なお、関連画像表示処理（ステップＳ２１７）の詳細については、後述する。
【００６４】
ステップＳ２１０で撮影操作がないと判断した場合（ステップＳ２１０：Ｎｏ）、ステップＳ２１６で表示終了操作があったと判断した場合（ステップＳ２１６：Ｙｅｓ）、または、ステップＳ２１７の後、本体側制御部５９は、カメラユーザによる入力部５１へのモード変更操作（表示装置本体５のモード（撮影モードや再生モード等）を変更するユーザ操作）があったか否かを判断する（ステップＳ２１８）。
モード変更操作があったと判断された場合（ステップＳ２１８：Ｙｅｓ）には、表示装置本体５は、ステップＳ２０１に移行する。
一方、モード変更操作がないと判断された場合（ステップＳ２１８：Ｎｏ）には、表示装置本体５は、ステップＳ２０３に戻り、撮影モードを継続する。
【００６５】
ステップＳ２０２で撮影モードに設定されていないと判断した場合（ステップＳ２０２：Ｎｏ）には、本体側制御部５９は、表示装置本体５が再生モード（レンズ型カメラ４（カメラ側記録部４８）に記録された撮影画像データに対応する撮影画像を表示するモード）に設定されているか否かを判断する（ステップＳ２１９）。
再生モードに設定されていないと判断された場合（ステップＳ２１９：Ｎｏ）には、表示装置本体５は、ステップＳ２３１に移行する。
一方、再生モードに設定されていると判断された場合（ステップＳ２１９：Ｙｅｓ）には、本体側通信制御部５９１は、本体側通信部５８を介して、画像一覧の送信要求をレンズ型カメラ４に送信するとともに、当該画像一覧をレンズ型カメラ４から受信する（ステップＳ２２０）。
【００６６】
続いて、本体側表示制御部５９３は、ステップＳ２２０で受信した画像一覧を表示部５２に表示させ（ステップＳ２２１）、カメラユーザに対して画像一覧中の一画像の選択を促す。
続いて、本体側制御部５９は、カメラユーザによる入力部５１への選択操作（画像一覧中の一画像を選択するユーザ操作）があったか否かを判断する（ステップＳ２２２）。
画像の選択操作がないと判断された場合（ステップＳ２２２：Ｎｏ）には、表示装置本体５は、ステップＳ２２１に戻り、画像一覧の表示を継続する。
一方、画像の選択操作があったと判断された場合（ステップＳ２２２：Ｙｅｓ）には、本体側通信制御部５９１は、本体側通信部５８を介して、当該選択操作により選択された画像に対応する対応画像データの送信要求をレンズ型カメラ４に送信するとともに、当該対応画像データ（第１タイムスタンプ及び撮影位置情報を含む）をレンズ型カメラ４から受信する（ステップＳ２２３）。そして、本体側通信制御部５９１は、当該受信した対応画像データを本体側メモリ部５６に記憶する。
なお、対応画像データは、本発明に係る基準画像データに相当する。すなわち、ステップＳ２２３は、本発明に係る第１取得ステップに相当する。
【００６７】
続いて、本体側制御部５９は、本体側メモリ部５６に記憶された関連画像の表示フラグがオン状態であるか否かを判断する（ステップＳ２２４）。
関連画像の表示フラグがオフ状態であると判断された場合（ステップＳ２２４：Ｎｏ）には、本体側表示制御部５９３は、本体側メモリ部５６に記憶された最新の対応画像データに対応する対応画像を表示部５２に表示させる（ステップＳ２２５）。
【００６８】
続いて、本体側制御部５９は、カメラユーザによる入力部５１への対応画像データのアップ操作があったか否かを判断する（ステップＳ２２６）。
アップ操作がないと判断された場合（ステップＳ２２６：Ｎｏ）には、表示装置本体５は、ステップＳ２２８に移行する。
一方、アップ操作があったと判断された場合（ステップＳ２２６：Ｙｅｓ）には、本体側通信制御部５９１は、以下の処理を実行する（ステップＳ２２７）。
すなわち、本体側通信制御部５９１は、本体側通信部５８を介して、インターネット網Ｎに接続されたサーバ３にアクセス信号（対応画像データの記録要求（自身の表示装置本体５の識別情報を含む））を送信し、サーバ３との間で通信接続を確立する。そして、本体側通信制御部５９１は、本体側メモリ部５６に記憶された最新の対応画像データ（第１タイムスタンプ及び撮影位置情報を含む）をサーバ３に送信する。
【００６９】
ステップＳ２２７の後、または、ステップＳ２２６で対応画像データのアップ操作がないと判断した場合（ステップＳ２２６：Ｎｏ）には、本体側制御部５９は、カメラユーザによる入力部５１への表示終了操作（対応画像の表示を終了するユーザ操作）があったか否かを判断する（ステップＳ２２８）。
表示終了操作があったと判断された場合（ステップＳ２２８：Ｙｅｓ）には、表示装置本体５は、ステップＳ２３０に移行する。
一方、表示終了操作がないと判断された場合（ステップＳ２２８：Ｎｏ）には、本体側表示制御部５９３は、ステップＳ２２５に戻り、対応画像の表示を継続する。
【００７０】
ステップＳ２２４で関連画像の表示フラグがオン状態であると判断した場合（ステップＳ２２４：Ｙｅｓ）には、本体側制御部５９は、サーバ３から関連画像データを受信し、対応画像とともに当該関連画像データに対応する関連画像を表示する関連画像表示処理を実行する（ステップＳ２２９）。
なお、関連画像表示処理（ステップＳ２２９）の詳細については、後述する。
【００７１】
ステップＳ２２８で表示終了操作があったと判断した場合（ステップＳ２２８：Ｙｅｓ）、または、ステップＳ２２９の後、本体側制御部５９は、カメラユーザによる入力部５１へのモード変更操作があったか否かを判断する（ステップＳ２３０）。
モード変更操作があったと判断された場合（ステップＳ２３０：Ｙｅｓ）には、表示装置本体５は、ステップＳ２０１に移行する。
一方、モード変更操作がないと判断された場合（ステップＳ２３０：Ｎｏ）には、表示装置本体５は、ステップＳ２２０に戻り、再生モードを継続する。
【００７２】
ステップＳ２１９で再生モードに設定されていないと判断された場合（ステップＳ２１９：Ｎｏ）には、表示装置本体５は、上述した処理とは異なる他の処理を実行する（ステップＳ２３１）。この後、表示装置本体５は、ステップＳ２０１に戻る。
例えば、表示装置本体５は、ステップＳ２３１において、カメラユーザによる入力部５１へのユーザ操作や、本体側通信部５８を介して外部機器から受信した情報等に基づいて、通信を行う相手方を設定する処理等を実行する。
【００７３】
〔関連画像表示処理〕
次に、上述した関連画像表示処理（ステップＳ２０９，Ｓ２１７，Ｓ２２９）について説明する。
なお、ステップＳ２０９，Ｓ２１７，Ｓ２２９における各関連画像表示処理は、関連画像とともに表示する対象がそれぞれライブビュー画像、撮影画像、及び対応画像である点が異なるのみである。このため、以下では、当該表示する対象であるライブビュー画像、撮影画像、及び対応画像を基準画像（ライブビュー画像データ、撮影画像データ、及び対応画像データを基準画像データ）と記載し、ステップＳ２０９，Ｓ２１７，Ｓ２２９における各関連画像表示処理を纏めて説明する。
【００７４】
図７は、関連画像表示処理（ステップＳ２０９，Ｓ２１７，Ｓ２２９）を示すフローチャートである。
先ず、本体側通信制御部５９１は、以下の処理を実行する（ステップＳ２３２）。
すなわち、本体側通信制御部５９１は、本体側通信部５８を介して、インターネット網Ｎに接続されたサーバ３にアクセス信号（関連画像データの送信要求（自身の表示装置本体５の識別情報を含む））を送信し、サーバ３との間で通信接続を確立する。そして、本体側通信制御部５９１は、撮影位置情報及び抽出範囲情報をサーバ３に送信する。
【００７５】
ここで、サーバ３に送信する撮影位置情報は、ステップＳ２０９での関連画像表示処理（基準画像がライブビュー画像）の場合には、ステップＳ２０８で本体側メモリ部５６に記憶された撮影位置情報である。また、ステップＳ２１７での関連画像表示処理（基準画像が撮影画像）の場合には、当該撮影位置情報は、ステップＳ２１３で画像データ記録部５７２に記録された最新の撮影画像データに含まれる撮影位置情報である。さらに、ステップＳ２２９での関連画像表示処理（基準画像が対応画像）の場合には、当該撮影位置情報は、ステップＳ２２３で本体側メモリ部５６に記憶された最新の対応画像データに含まれる撮影位置情報である。
また、サーバ３に送信する抽出範囲情報は、第１〜第３抽出範囲情報のうち、本体側記録部５７から読み出され、本体側メモリ部５６に記憶された一の抽出範囲情報である。
【００７６】
ステップＳ２３２の後、本体側通信制御部５９１は、本体側通信部５８を介して、サーバ３から第１〜第３関連画像データを受信し、本体側メモリ部５６に記憶する（ステップＳ２３３：第２取得ステップ）。
【００７７】
続いて、本体側表示制御部５９３は、以下に示すように、表示部５２に表示させる表示画面を生成する表示画面生成処理を実行する（ステップＳ２３４）。
図８は、表示画面生成処理（ステップＳ２３４）を示すフローチャートである。図９及び図１０は、表示画面生成処理（ステップＳ２３４）を説明するための図である。
具体的に、図９は、ステップＳ２３２でサーバ３に送信した撮影位置情報に基づく撮影位置ＰＳ（以下、基準位置ＰＳと記載）周辺の地図上に当該基準位置ＰＳ周辺で撮影された各画像データ（サーバ３のデータベース３２に記録された各対応画像データ）にそれぞれ対応する各撮影画像Ｆ１０１〜Ｆ１０５を当該撮影画像Ｆ１０１〜Ｆ１０５の各撮影位置Ｐ１０１〜Ｐ１０５にそれぞれ配置した状態を示した図である。図１０は、表示画面生成処理（ステップＳ２３４）にて生成された表示画面Ｗ１００を示している。
【００７８】
ここで、各撮影位置Ｐ１０１，Ｐ１０２は、基準位置ＰＳに対して第１距離Ｄ１（サーバ３に送信した抽出範囲情報（第１〜第３抽出範囲情報のいずれか）に基づく第１距離Ｄ１）未満の範囲内に位置するものとする。すなわち、撮影画像Ｆ１０１，Ｆ１０２は、第１関連画像データに相当する。また、各撮影位置Ｐ１０３〜Ｐ１０５は、基準位置ＰＳに対して第１距離Ｄ１以上、第２距離Ｄ２（当該抽出範囲情報に基づく第２距離Ｄ２）未満の範囲内に位置するものとする。すなわち、撮影画像Ｆ１０３〜Ｆ１０５は、第２関連画像データに相当する。図９では、説明の便宜上、第３関連画像データに相当する撮影画像の図示は省略したが、図１０に示す撮影画像Ｆ１０６〜Ｆ１１０の各撮影位置は、基準位置ＰＳに対して第２距離Ｄ２以上、第３距離（当該抽出範囲情報に基づく第３距離）未満の範囲内に位置するものであり、当該撮影画像Ｆ１０６〜Ｆ１１０が第３関連画像データに相当する画像である。
【００７９】
そして、図１０に示すように、表示画面Ｗ１００中、当該表示画面Ｗ１００の下方に位置し、当該表示画面Ｗ１００の横方向（第１方向）に沿って延びる領域を第１領域Ａｒ１とする。この第１領域Ａｒ１の幅（縦方向の長さ）は、表示画面Ｗ１００の縦方向の長さの１／２の大きさである。また、表示画面Ｗ１００中、第１領域Ａｒ１の直上に位置し、当該表示画面Ｗ１００の横方向に延びる領域を第２領域Ａｒ２とする。この第２領域Ａｒ２の幅は、表示画面Ｗ１００の縦方向の長さの１／３の大きさである。さらに、表示画面Ｗ１００中、第２領域Ａｒ２の直上に位置し（当該表示画面Ｗ１００の上方に位置し）、当該表示画面Ｗ１００の横方向に沿って延びる領域を第３領域Ａｒ３とする。この第３領域Ａｒ３の幅（縦方向の長さ）は、表示画面Ｗ１００の縦方向の長さの１／５の大きさである。
【００８０】
先ず、本体側表示制御部５９３は、本体側メモリ部５６または画像データ記録部５７２に記憶された最新の基準画像データに対応する基準画像（図１０の例では、基準画像ＦＳ）、及びステップＳ２３３で本体側メモリ部５６に記録された第１関連画像データに対応する第１関連画像（図９及び図１０の例では、撮影画像Ｆ１０１，Ｆ１０２）を横方向に並べて、第１領域Ａｒ１に配置する（ステップＳ２３４１）。
この際、本体側表示制御部５９３は、第１領域Ａｒ１において、基準画像を横方向の中央部分に配置し、その左右に基準画像と同一の大きさで第１関連画像を配置する。なお、図１０の例では、撮影画像Ｆ１０１，Ｆ１０２が表示画面Ｗ１００内に入りきらないため、当該撮影画像Ｆ１０１，Ｆ１０２の半分のみを配置している。また、本体側表示制御部５９３は、基準画像を他の関連画像に対して識別可能とするために、基準画像の外縁を太枠とする。
【００８１】
続いて、本体側表示制御部５９３は、ステップＳ２３３で本体側メモリ部５６に記憶された第２関連画像データに対応する第２関連画像（図９及び図１０の例では、撮影画像Ｆ１０３〜Ｆ１０５）を横方向に並べて、第２領域Ａｒ２に配置する（ステップＳ２３４２）。
この際、本体側表示制御部５９３は、基準画像の２／３の大きさで第２関連画像を第２領域Ａｒ２に配置する。
【００８２】
続いて、本体側表示制御部５９３は、ステップＳ２３３で本体側メモリ部５６に記憶された第３関連画像データに対応する第３関連画像（図１０の例では、撮影画像Ｆ１０６〜Ｆ１１０）を横方向に並べて、第３領域Ａｒ３に配置する（ステップＳ２３４３）。
この際、本体側表示制御部５９３は、基準画像の２／５の大きさで第３関連画像を第３領域Ａｒ３に配置する。
【００８３】
続いて、本体側表示制御部５９３は、第１領域Ａｒ１に、抽出範囲情報の変更を促す操作アイコンを配置する（ステップＳ２３４４）。
図１０の例では、本体側表示制御部５９３は、第１領域Ａｒ１の左下に、３つの操作アイコンＡ１〜Ａ３を配置している。
具体的に、操作アイコンＡ１は、カメラユーザにより操作（入力部（タッチパネル）５１へのタッチ操作）されることで、本体側メモリ部５６に記憶された抽出範囲情報を第１抽出範囲情報（第１距離が「１２５ｍ」、第２距離が「２５０ｍ」、第３距離が「５００ｍ」）に更新するためのアイコンである。操作アイコンＡ２は、カメラユーザにより操作されることで、本体側メモリ部５６に記憶された抽出範囲情報を第２抽出範囲情報（第１距離が「２５０ｍ」、第２距離が「５００ｍ」、第３距離が「１ｋｍ」）に更新するためのアイコンである。操作アイコンＡ３は、カメラユーザにより操作されることで、本体側メモリ部５６に記憶された抽出範囲情報を第３抽出範囲情報（第１距離が「５００ｍ」、第２距離が「１ｋｍ」、第３距離が「２ｋｍ」）に更新するためのアイコンである。
【００８４】
なお、図１０の例では、操作アイコンＡ３が操作され、本体側メモリ部５６に記憶された抽出範囲情報が第３抽出範囲情報に更新された状態（操作された操作アイコンＡ３を黒表示、その他の操作アイコンＡ１，Ａ２を白表示）を示している。
また、図１０の例では、操作アイコンＡ１〜Ａ３の上方には、操作された操作アイコンＡ３に対応する第３抽出範囲情報に基づく文字情報が配置されている。
ここで、文字情報は、操作された操作アイコンＡ１〜Ａ３に対応する抽出範囲情報に基づく第３距離の数値（図１０の例では、「２ｋｍ」）とともに、吹き出し内に第１〜第３距離の全ての数値（図１０の例では、「５００ｍ」、「１ｋｍ」、「２ｋｍ」）を含む情報である。
以上のステップＳ２３４１〜Ｓ２３４４により、表示画面（図１０の例では、表示画面Ｗ１００）が生成される。この後、表示装置本体５は、図７に示したルーチンに戻る。
【００８５】
ステップＳ２３４の後、本体側表示制御部５９３は、表示部５２における画面の一方側から徐々に基準画像、及び第１〜第３関連画像が現れる態様で表示部５２に表示させた後、ステップＳ２３４で生成した表示画面を表示部５２に表示させる（ステップＳ２３５：表示ステップ）。
【００８６】
図１１は、ステップＳ２３５を説明するための図である。具体的に、図１１は、図９及び図１０に対応した図である。
例えば、本体側表示制御部５９３は、ステップＳ２３５において、図１１（ａ）〜図１１（ｄ）に示すように、表示部５２における画面の右側から徐々に、第１〜第３領域Ａｒ１〜Ａｒ２に配置した各画像ＦＳ，Ｆ１０１〜Ｆ１１０が現れる態様で表示部５２に表示させる。そして、本体側表示制御部５９３は、図１１（ｄ）に示すように、最終的に、ステップＳ２３４で生成した表示画面Ｗ１００を表示部５２に表示させる。
【００８７】
ステップＳ２３５の後、本体側制御部５９は、カメラユーザによる入力部５１への変更操作（表示画面を変更するユーザ操作）があったか否かを判断する（ステップＳ２３６）。
表示画面の変更操作がないと判断された場合（ステップＳ２３６：Ｎｏ）には、表示装置本体５は、ステップＳ２３８に移行する。
一方、表示画面の変更操作があったと判断された場合（ステップＳ２３６：Ｙｅｓ）には、本体側表示制御部５９３は、表示部５２に表示させた表示画面において、第１〜第３領域Ａｒ１〜Ａｒ３のうち当該変更操作に対応する領域に配置された画像をスクロール（表示画面を変更）させる（ステップＳ２３７）。
【００８８】
図１２Ａ及び図１２Ｂは、ステップＳ２３６，Ｓ２３７を説明するための図である。具体的に、図１２Ａ及び図１２Ｂは、図９〜図１１に対応した図であり、カメラユーザにより表示画面の変更操作がなされた場合における表示画面の画面遷移を示している。
例えば、本体側表示制御部５９３は、図１２Ａ及び図１２Ｂに示すように、カメラユーザが入力部（タッチパネル）５１の第１領域Ａｒ１を右方向にスワイプした場合には、第２，第３領域Ａｒ２，Ａｒ２に配置した各撮影画像Ｆ１０３〜Ｆ１１０については移動させずに、第１領域Ａｒ１に配置した各画像ＦＳ，Ｆ１０１，Ｆ１０２を右方向に移動させる。この結果、半分のみが表示されていた撮影画像Ｆ１０１（図１２Ａ）は、その全体を表示するようになる（図１２Ｂ）。
なお、カメラユーザが第１領域Ａｒ１を左方向にスワイプした場合には、半分のみが表示されていた撮影画像Ｆ１０２は、その全体を表示するようになる。
【００８９】
また、具体的な図示は省略したが、第２関連画像データが４つ以上あった場合（第２領域Ａｒ２に配置しきれていない（表示画面Ｗ１００に表示しきれていない）撮影画像があった場合）であって、カメラユーザが第２領域Ａｒ２を左右にスワイプした場合には、第２領域Ａｒ２に配置した撮影画像のみが左右に移動し、第２領域Ａｒ２に配置しきれていなかった撮影画像が表示されることになる。
さらに、具体的な図示は省略したが、第３関連画像データが６つ以上あった場合（第３領域Ａｒ３に配置しきれていない（表示画面Ｗ１００に表示しきれていない）撮影画像があった場合）であって、カメラユーザが第３領域Ａｒ３を左右にスワイプした場合には、第３領域Ａｒ３に配置した撮影画像のみが左右に移動し、第３領域Ａｒ３に配置しきれていなかった撮影画像が表示されることになる。
【００９０】
ステップＳ２３７の後、または、ステップＳ２３６で表示画面の変更操作がないと判断した場合（ステップＳ２３６：Ｎｏ）には、本体側制御部５９は、カメラユーザによる入力部５１への表示終了操作（表示画面の表示を終了するユーザ操作）があったか否かを判断する（ステップＳ２３８）。
表示終了操作があったと判断された場合（ステップＳ２３８：Ｙｅｓ）には、表示装置本体５は、図６に示したメインルーチンに戻る。
一方、表示終了操作がないと判断した場合（ステップＳ２３８：Ｎｏ）には、本体側制御部５９は、カメラユーザによる入力部５１への変更操作（抽出範囲情報を変更するユーザ操作（図１１（ｄ）、図１２Ａ、及び図１２Ｂの例では、操作アイコンＡ１〜Ａ３への操作））があったか否かを判断する（ステップＳ２３９）。
変更操作がないと判断された場合（ステップＳ２３９：Ｎｏ）には、表示装置本体５は、ステップＳ２３６に移行する。
【００９１】
一方、変更操作があったと判断した場合（ステップＳ２３９：Ｙｅｓ）には、本体側制御部５９は、本体側メモリ部５６に記憶された抽出範囲情報を、当該変更操作がなされた操作アイコン（図１１（ｄ）、図１２Ａ、及び図１２Ｂの例では、操作アイコンＡ１〜Ａ３）に対応する抽出範囲情報に更新（抽出範囲情報を変更）する（ステップＳ２４０）。
この後、表示装置本体５は、ステップＳ２３２に戻り、改めて関連画像データの送信要求（撮影位置情報及びステップＳ２４０で変更された抽出範囲情報を含む）を実行する。
【００９２】
〔サーバの動作〕
図１３は、サーバ３の動作を示すフローチャートである。
サーバ側通信制御部３３１は、サーバ側通信部３１及びインターネット網Ｎを介して、表示装置本体５からアクセス信号（対応画像データの記録要求（当該表示装置本体５の識別情報を含む））を受信したか否かを判断する（ステップＳ３０１）。
対応画像データの記録要求を受信していないと判断された場合（ステップＳ３０１：Ｎｏ）には、サーバ３は、ステップＳ３０５に移行する。
一方、対応画像データの記録要求を受信したと判断された場合（ステップＳ３０１：Ｙｅｓ）には、端末判定部３３２は、当該記録要求に基づいて、アクセスしてきた送信元の表示装置本体５を特定する（ステップＳ３０２）。
【００９３】
続いて、サーバ側通信制御部３３１は、サーバ側通信部３１及びインターネット網Ｎを介して、表示装置本体５から対応画像データ（第１タイムスタンプ及び撮影位置情報を含む）を受信する（ステップＳ３０３）。
続いて、データベース管理部３３３は、ステップＳ３０３で受信した対応画像データをデータベース３２に記録する（ステップＳ３０４）。この後、サーバ３は、ステップＳ３０１に戻る。
【００９４】
ステップＳ３０１で対応画像データの記録要求を受信していないと判断した場合（ステップＳ３０１：Ｎｏ）には、サーバ側通信制御部３３１は、サーバ側通信部３１及びインターネット網Ｎを介して、表示装置本体５からアクセス信号（関連画像データの送信要求（当該表示装置本体５の識別情報を含む））を受信したか否かを判断する（ステップＳ３０５）。
関連画像データの送信要求を受信していないと判断された場合（ステップＳ３０５：Ｎｏ）には、サーバ３は、ステップＳ３１３に移行する。
一方、関連画像データの送信要求を受信したと判断された場合（ステップＳ３０５：Ｙｅｓ）には、端末判定部３３２は、当該送信要求に基づいて、アクセスしてきた送信元の表示装置本体５を特定する（ステップＳ３０６）。
続いて、サーバ側通信制御部３３１は、サーバ側通信部３１及びインターネット網Ｎを介して、表示装置本体５から撮影位置情報及び抽出範囲情報を受信する（ステップＳ３０７）。
【００９５】
続いて、距離算出部３３４は、ステップＳ３０７で受信した撮影位置情報に基づく基準位置（図９の例では、基準位置ＰＳ）と、データベース３２に記録された複数の対応画像データに含まれる各撮影位置情報に基づく各撮影位置（図９の例では、撮影位置Ｐ１０１〜Ｐ１０５等）との間の各距離を算出する（ステップＳ３０８）。
図９の例において、基準位置ＰＳの経度及び緯度がそれぞれ「Ｋ０」及び「Ｉ０」であり、撮影位置Ｐ１０１の経度及び緯度がそれぞれ「Ｋ１」及び「Ｉ１」であった場合には、距離算出部３３４は、以下の数式（１）により、基準位置ＰＳ及び撮影位置Ｐ１０１間の距離ＤＳ１を算出する。
【００９６】
【数１】
0006368560.tif 000002
【００９７】
続いて、関連画像抽出部３３５は、基準位置からの距離がステップＳ３０７で受信した抽出範囲情報に基づく第１距離未満の範囲内となる撮影位置で撮影された対応画像データを第１関連画像データ（図９及び図１０の例では、撮影画像Ｆ１０１，Ｆ１０２）としてデータベース３２から抽出する（ステップＳ３０９）。
続いて、関連画像抽出部３３５は、基準位置からの距離が第１距離以上、ステップＳ３０７で受信した抽出範囲情報に基づく第２距離未満の範囲内となる撮影位置で撮影された対応画像データを第２関連画像データ（図９及び図１０の例では、撮影画像Ｆ１０３〜Ｆ１０５）としてデータベース３２から抽出する（ステップＳ３１０）。
【００９８】
続いて、関連画像抽出部３３５は、基準位置からの距離が第２距離以上、ステップＳ３０７で受信した抽出範囲情報に基づく第３距離未満の範囲内となる撮影位置で撮影された対応画像データを第３関連画像データ（図１０の例では、撮影画像Ｆ１０６〜Ｆ１１０）としてデータベース３２から抽出する（ステップＳ３１１）。
そして、サーバ側通信制御部３３１は、サーバ側通信部３１及びインターネット網Ｎを介して、ステップＳ３０９〜Ｓ３１０で抽出された第１〜第３関連画像データを、ステップＳ３０６で特定された表示装置本体５に送信する（ステップＳ３１２）。この後、サーバ３は、ステップＳ３０１に戻る。
【００９９】
ステップＳ３０５で関連画像データの送信要求を受信していないと判断された場合（ステップＳ３０５：Ｎｏ）には、サーバ３は、上述した処理とは異なる他の処理を実行する（ステップＳ３１３）。この後、サーバ３は、ステップＳ３０１に戻る。
【０１００】
以上説明した本実施の形態１に係る表示装置２は、基準画像データと、当該基準画像データの撮影位置（基準位置）に対して所定距離の範囲内で撮影された関連画像データとを取得し、当該基準画像データに対応する基準画像（ライブビュー画像、撮影画像、または対応画像）、及び当該関連画像データに対応する関連画像を表示する。
このため、カメラユーザは、関連画像を確認することにより、基準位置の周辺での撮影により実際にどのような撮影画像を得ることができるのかを明確に把握することができる。したがって、本実施の形態１に係る表示装置２によれば、利便性の向上が図れる、という効果を奏する。
【０１０１】
また、表示装置２は、レンズ型カメラ４にて生成された画像データ（ライブビュー画像データや撮影画像データ（対応画像データを含む））を基準画像データとする。また、表示装置２は、当該基準画像データが生成された際の当該表示装置２の現在位置を基準位置として、関連画像データを取得する。
このため、カメラユーザは、自身で撮影した基準画像と他人が撮影した関連画像とを並べた状態で比較することができる。すなわち、カメラユーザに対して、撮影に対する関心度（関連画像と同じような撮影を行いたいという意志）を高めることができる。
【０１０２】
また、表示装置２は、関連画像データのうち、基準位置から撮影位置までの距離が比較的に近い第１関連画像については、基準画像と同じ第１領域Ａｒ１に配置する。そして、表示装置２は、当該距離が第１関連画像よりも遠い第２，第３関連画像については、第１領域Ａｒ１から順に離れた第２，第３領域Ａｒ２，Ａｒ３にそれぞれ配置する。
特に、表示装置２は、当該距離が比較的に近い第１関連画像については、基準画像とともに大きいサイズとし、当該距離が遠くなるにしたがって第２，第３関連画像のサイズを順に小さくする。
このため、カメラユーザは、関連画像の配置位置やサイズを確認することで、一目で当該関連画像が基準位置から近い位置で撮影されたものであるか、あるいは、遠い位置で撮影されたものであるかを認識することができる。
【０１０３】
また、表示装置２は、画面の一方側から徐々に基準画像、及び第１〜第３関連画像が現れる態様で表示した後、生成した表示画面（図１０の例では、表示画面Ｗ１００）を表示する。
このため、表示画面の表示前に上記態様での表示を行うことで、どの方向に変更操作（図１２Ａ及び図１２Ｂの例では、スワイプ）を行えば、表示しきれていない関連画像を表示することができるかをカメラユーザに認識させることができる。
【０１０４】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２に係る表示システムでは、上述した実施の形態１で説明した表示システム１に対して、表示画面に表示された第１〜第３関連画像のいずれかがカメラユーザにて選択された場合に、基準位置から当該選択された関連画像の撮影位置までの経路をカメラユーザに案内するように構成されている。
以下、本実施の形態２に係る表示システム１Ａ（表示装置２Ａ及びサーバ３Ａ）について説明する。
なお、表示装置２Ａを構成するレンズ型カメラ４については、上述した実施の形態１で説明したレンズ型カメラ４（図２）と同様の構成である。このため、以下では、表示装置２Ａを構成する表示装置本体５Ａ、及びサーバ３Ａの構成のみを説明する。
【０１０５】
〔表示装置本体の構成〕
図１４は、表示装置本体５Ａの構成を示すブロック図である。
本実施の形態２に係る表示装置本体５Ａは、上述した実施の形態１で説明した表示装置本体５（図３）に対して、本体側制御部５９の一部の機能が変更されている。
本実施の形態２に係る本体側制御部５９Ａは、図１４に示すように、上述した実施の形態１で説明した本体側制御部５９に対して、本体側撮像制御部５９２を備える他、本体側通信制御部５９１及び本体側表示制御部５９３の一部の機能を変更した本体側通信制御部５９１Ａ及び本体側表示制御部５９３Ａを備える。
【０１０６】
本体側通信制御部５９１Ａは、上述した実施の形態１で説明した本体側通信制御部５９１に対して、以下の機能が追加されている。
すなわち、本体側通信制御部５９１Ａは、本体側記録部５７に記録されたサーバ３Ａの所在位置情報（ＵＲＬ）に基づいて、本体側通信部５８を介して、インターネット網Ｎに接続されたサーバ３Ａにアクセス信号（経路画像データの送信要求（自身の表示装置本体５Ａを識別する識別情報を含む））を送信し、サーバ３Ａとの間で通信接続を確立する。
そして、本体側通信制御部５９１Ａは、サーバ３Ａにて経路画像データを生成させるための撮影位置情報及び画像判別情報をサーバ３Ａに送信するとともに、経路画像データをサーバ３Ａから受信する。
なお、経路画像データの送信要求については、本体側通信制御部５９１Ａは、カメラユーザによる入力部５１へのユーザ操作（表示画面中の第１〜第３関連画像のいずれかを選択する選択操作）に応じて実行するものである。
また、サーバ３Ａに送信する画像判別情報は、当該選択操作により選択された関連画像を判別（識別）するための情報であり、サーバ３Ａから表示装置本体５Ａに送信された第１〜第３関連画像データにそれぞれ含まれている。
【０１０７】
本体側表示制御部５９３Ａは、上述した実施の形態１で説明した本体側表示制御部５９３Ａに対して、本体側通信部５８を介してサーバ３Ａから受信した経路画像データに対応する経路画像を表示部５２に表示させる機能が追加されている。
【０１０８】
〔サーバの構成〕
図１５は、サーバ３Ａの構成を示すブロック図である。
サーバ３Ａは、上述した実施の形態１で説明したサーバ３（図４）に対して、地図情報記録部３４が追加されているとともに、サーバ側制御部３３の一部の機能が変更されている。
地図情報記録部３４は、各地点の経度及び緯度を含む地図情報を記録する。
本実施の形態２に係るサーバ側制御部３３Ａは、上述した実施の形態１で説明したサーバ側制御部３３に対して、経路探索部３３６が追加されているとともに、サーバ側通信制御部３３１の一部の機能が変更されている。
【０１０９】
本実施の形態２に係るサーバ側通信制御部３３１Ａは、上述した実施の形態１で説明したサーバ側通信制御部３３１に対して、以下の機能が追加されている。
すなわち、サーバ側通信制御部３３１Ａは、サーバ側通信部３１及びインターネット網Ｎを介して表示装置本体５から送信される関連画像データの送信要求（アクセス信号）に応じて関連画像データを当該表示装置本体５に送信する際、当該関連画像データを判別（識別）する画像判別情報を当該関連画像データに付加して当該表示装置本体５に送信する。なお、データベース３２に記録された複数の対応画像データのうち、当該関連画像データに対応する対応画像データにも当該画像判別情報が付加される。
また、サーバ側通信制御部３３１Ａは、サーバ側通信部３１及びインターネット網Ｎを介して表示装置本体５Ａから送信されるアクセス信号（経路画像データの送信要求（当該表示装置本体５Ａの識別情報を含む））に応じて、表示装置本体５Ａとの間で通信接続を確立する。そして、サーバ側通信制御部３３１Ａは、表示装置本体５Ａから撮影位置情報及び画像判別情報を受信するとともに、経路探索部３３６にて生成された経路画像データを表示装置本体５Ａに送信する。
【０１１０】
経路探索部３３６は、サーバ側通信部３１を介して表示装置本体５Ａから受信した画像判別情報に基づいて、データベース３２に記録された複数の対応画像データから、カメラユーザにより選択された関連画像データ（当該画像判別情報を含む対応画像データ）を特定する。また、経路探索部３３６は、当該特定した関連画像データに含まれる撮影位置情報に基づく撮影位置（以下、目標位置と記載）、サーバ側通信部３１を介して表示装置本体５Ａから受信した撮影位置情報に基づく基準位置、及び地図情報記録部３４に記録された地図情報に基づいて、基準位置から目標位置までの経路を探索する。そして、経路探索部３３６は、基準位置及び目標位置を含む所定の縮尺の地図情報を地図情報記録部３４から読み出し、当該地図情報に基づく地図画像上に当該探索した経路を重畳した経路画像に関する経路画像データを生成する。
【０１１１】
〔表示システムの動作〕
次に、上述した表示システム１Ａの動作（表示装置２Ａ及びサーバ３Ａの動作）について説明する。
なお、表示装置２Ａの動作については、上述した実施の形態１で説明した表示装置２の動作（図５〜図８）に対して、関連画像表示処理（ステップＳ２０９，Ｓ２１７，Ｓ２２９）が異なるのみである。このため、以下では、本実施の形態２に係る関連画像表示処理（ステップＳ２０９，Ｓ２１７，Ｓ２２９）及びサーバ３Ａの動作のみを説明する。
【０１１２】
〔関連画像表示処理〕
図１６は、本発明の実施の形態２に係る関連画像表示処理（ステップＳ２０９，Ｓ２１７，Ｓ２２９）を示すフローチャートである。
本実施の形態２に係る関連画像表示処理は、図１６に示すように、上述した実施の形態１で説明した関連画像表示処理（図７）に対して、ステップＳ２４１〜Ｓ２４６を追加した点が異なるのみである。このため、以下では、ステップＳ２４１〜Ｓ２４６のみを説明する。
【０１１３】
ステップＳ２４１は、ステップＳ２３７の後、または、ステップＳ２３６で表示画面の変更操作がないと判断された場合（ステップＳ２３６：Ｎｏ）に実行される。
具体的に、本体側制御部５９Ａは、ステップＳ２４１において、カメラユーザによる入力部５１への選択操作（表示画面中の第１〜第３関連画像（図１１（ｄ）、図１２Ａ、及び図１２Ｂの例では、撮影画像Ｐ１０１〜Ｐ１１０）のいずれかを選択するユーザ操作）があったか否かを判断する（ステップＳ２４１）。
選択操作がないと判断された場合（ステップＳ２４１：Ｎｏ）には、表示装置本体５Ａは、ステップＳ２３８に移行する。
【０１１４】
一方、選択操作があったと判断された場合（ステップＳ２４１：Ｙｅｓ）には、本体側通信制御部５９１Ａは、以下の処理を実行する（ステップＳ２４２）。
すなわち、本体側通信制御部５９１Ａは、本体側通信部５８を介して、インターネット網Ｎに接続されたサーバ３Ａにアクセス信号（経路画像データの送信要求（自身の表示装置本体５Ａの識別情報を含む））を送信し、サーバ３Ａとの間で通信接続を確立する。そして、本体側通信制御部５９１Ａは、撮影位置情報及び画像判別情報をサーバ３Ａに送信する。
【０１１５】
ここで、サーバ３Ａに送信する撮影位置情報は、ステップＳ２０９での関連画像表示処理（基準画像がライブビュー画像）の場合には、ステップＳ２４１で選択操作があったと判断された際に位置取得部５５にて取得された撮影位置情報である。また、ステップＳ２１７での関連画像表示処理（基準画像が撮影画像）の場合には、当該撮影位置情報は、ステップＳ２１３で画像データ記録部５７２に記録された最新の撮影画像データに含まれる撮影位置情報である。さらに、ステップＳ２２９での関連画像表示処理（基準画像が対応画像）の場合には、当該撮影位置情報は、ステップＳ２２３で本体側メモリ部５６に記憶された最新の対応画像データに含まれる撮影位置情報である。
また、サーバ３に送信する画像判別情報は、ステップＳ２３３で本体側メモリ部５６に記憶された第１〜第３関連画像データのうち、ステップＳ２４１での選択操作により選択された関連画像データに含まれる画像判別情報である。
【０１１６】
ステップＳ２４２の後、本体側通信制御部５９１Ａは、本体側通信部５８を介して、サーバ３Ａから経路画像データを受信し、本体側メモリ部５６に記憶する（ステップＳ２４３）。
続いて、本体側表示制御部５９３Ａは、ステップＳ２４３で本体側メモリ部５６に記憶された経路画像データに対応する経路画像を表示部５２に表示させる（ステップＳ２４４）。
【０１１７】
続いて、本体側制御部５９Ａは、カメラユーザによる入力部５１への表示切替操作（表示部５２への表示を経路画像から第１〜第３関連画像の表示画面に切り替えるユーザ操作）があったか否かを判断する（ステップＳ２４５）。
表示切替操作があったと判断された場合（ステップＳ２４５：Ｙｅｓ）には、表示装置本体５Ａは、ステップＳ２３５に戻り、表示部５２への表示を経路画像から第１〜第３関連画像の表示画面に切り替える。
一方、表示切替操作がないと判断された場合（ステップＳ２４５：Ｎｏ）には、ステップＳ２３８に移行する。
【０１１８】
ステップＳ２４６は、ステップＳ２３９で変更操作がないと判断された場合（ステップＳ２３９：Ｎｏ）の場合に実行される。
具体的に、本体側制御部５９Ａは、ステップＳ２４６において、ステップＳ２４４で表示部５２に経路画像を表示させている最中（経路画像の表示中）であるか否かを判断する。
経路画像の表示中ではないと判断された場合（ステップＳ２４６：Ｎｏ）には、表示装置本体５Ａは、ステップＳ２３６に戻る。
一方、経路画像の表示中であると判断された場合（ステップＳ２４６：Ｙｅｓ）には、表示装置本体５Ａは、ステップＳ２４５に戻る。
【０１１９】
〔サーバの動作〕
図１７は、サーバ３Ａの動作を示すフローチャートである。
サーバ３Ａの動作は、図１７に示すように、上述した実施の形態１で説明したサーバ３の動作（図１３）に対して、ステップＳ３１２の代わりにステップＳ３１２Ａを追加するとともに、ステップＳ３１４〜Ｓ３１９を追加した点が異なるのみである。このため、以下では、ステップＳ３１２Ａ，Ｓ３１４〜Ｓ３１９のみを説明する。
【０１２０】
ステップＳ３１２Ａは、ステップＳ３１１の後に実行される。
具体的に、サーバ側通信制御部３３１Ａは、ステップＳ３１２Ａにおいて、ステップＳ３０９〜Ｓ３１１で抽出された第１〜第３関連画像データに対して、当該第１〜第３関連画像データを判別する画像判別情報を付加する。また、サーバ側通信制御部３３１Ａは、データベース３２に記録された複数の対応画像データのうち、当該第１〜第３関連画像データに対応する対応画像データにも当該画像判別情報を付加する。そして、サーバ側通信制御部３３１Ａは、サーバ側通信部３１及びインターネット網Ｎを介して、当該第１〜第３関連画像データ（画像判別情報を含む）を、ステップＳ３０６で特定された表示装置本体５Ａに送信する。この後、サーバ３Ａは、ステップＳ３０１に戻る。
【０１２１】
ステップＳ３１４は、ステップＳ３０５で関連画像データの送信要求を受信していないと判断された場合（ステップＳ３０５：Ｎｏ）に実行される。
具体的に、サーバ側通信制御部３３１Ａは、ステップＳ３１４において、サーバ側通信部３１及びインターネット網Ｎを介して、表示装置本体５Ａからアクセス信号（経路画像データの送信要求（当該表示装置本体５Ａの識別情報を含む））を受信したか否かを判断する。
経路画像データの送信要求を受信していないと判断された場合（ステップＳ３１４：Ｎｏ）には、サーバ３Ａは、ステップＳ３１３に移行する。
一方、経路画像データの送信要求を受信したと判断された場合（ステップＳ３１４：Ｙｅｓ）には、端末判定部３３２は、当該送信要求に基づいて、アクセスしてきた送信元の表示装置本体５Ａを特定する（ステップＳ３１５）。
続いて、サーバ側通信制御部３３１は、サーバ側通信部３１及びインターネット網Ｎを介して、表示装置本体５Ａから撮影位置情報及び画像判別情報を受信する（ステップＳ３１６）。
【０１２２】
続いて、経路探索部３３６は、ステップＳ３１６で受信した画像判別情報に基づいて、データベース３２に記録された複数の対応画像データから、ステップＳ２４１でカメラユーザにより選択された関連画像データ（当該画像判別情報を含む対応画像データ）を特定する。そして、経路探索部３３６は、当該特定した関連画像データに含まれる撮影位置情報に基づく目標位置、ステップＳ３１６で受信した撮影位置情報に基づく基準位置、及び地図情報記録部３４に記録された地図情報に基づいて、基準位置から目標位置までの経路を探索する（ステップＳ３１７）。
【０１２３】
図１８は、ステップＳ３１８で生成される経路画像データに対応する経路画像Ｗ２００の一例を示す図である。具体的に、図１８は、図９〜図１１，図１２Ａ，図１２Ｂに対応した図である。
なお、図１８では、ステップＳ２４１でのカメラユーザによる選択操作により表示画面Ｗ１００中の撮影画像Ｆ１０５（第２関連画像）が選択された場合（目標位置を撮影位置Ｐ１０５とした場合）を例示している。
ステップＳ３１７の後、経路探索部３３６は、基準位置（図１８の例では、基準位置ＰＳ）から目標位置（図１８の例では、撮影位置Ｐ１０５）を含む所定の縮尺の地図情報を地図情報記録部３４から読み出す。そして、経路探索部３３６は、当該地図情報に基づく地図画像（図１８の例では、地図画像Ｍ）上にステップＳ３１７で探索した経路（図１８の例では、経路ＲＴ）を重畳した経路画像（図１８の例では、経路画像Ｗ２００）に関する経路画像データを生成する（ステップＳ３１８）。
【０１２４】
続いて、サーバ側通信制御部３３１Ａは、サーバ側通信部３１及びインターネット網Ｎを介して、ステップＳ３１８で生成された経路画像データを、ステップＳ３１５で特定された表示装置本体５Ａに送信する。この後、サーバ３Ａは、ステップＳ３０１に戻る。
【０１２５】
以上説明した本実施の形態２によれば、上述した実施の形態１と同様の効果の他、以下の効果がある。
本実施の形態２に係る表示システム１Ａは、表示画面に表示された第１〜第３関連画像のいずれかがカメラユーザにて選択された場合に、基準位置から当該選択された関連画像の撮影位置までの経路をカメラユーザに案内する。
このため、カメラユーザは、当該案内にしたがうことで、自身の好みに応じた関連画像の撮影位置まで簡単に到達することができる。したがって、利便性の向上がさらに図れる。
【０１２６】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る表示システムでは、上述した実施の形態１で説明した表示システム１に対して、サーバ３が省略され、当該サーバ３の一部の機能を表示装置２に持たせるように構成している。
以下、本実施の形態３に係る表示システム１Ｂ（表示装置２Ｂ）を構成するレンズ型カメラ４Ｂ及び表示装置本体５Ｂの構成を順に説明する。
【０１２７】
〔レンズ型カメラの構成〕
図１９は、レンズ型カメラ４Ｂの構成を示すブロック図である。
本実施の形態３に係るレンズ型カメラ４Ｂは、上述した実施の形態１で説明したレンズ型カメラ４（図２）に対して、カメラ側制御部５０の一部の機能が変更されている。
本実施の形態３に係るカメラ側制御部５０Ｂは、図１９に示すように、カメラ側撮像制御部５０２を備える他、カメラ側通信制御部５０１の一部の機能を変更したカメラ側通信制御部５０１Ｂと、距離算出部５０３と、関連画像抽出部５０４とを備える。
【０１２８】
カメラ側通信制御部５０１Ｂは、上述した実施の形態１で説明したカメラ側通信制御部５０１に対して、以下の機能が追加されている。
すなわち、カメラ側通信制御部５０１Ｂは、表示装置本体５Ｂから関連画像データの送信要求とともに距離算出部５０３及び関連画像抽出部５０４の処理に用いられる撮影位置情報及び抽出範囲情報を受信する。そして、カメラ側通信制御部５０１Ｂは、当該送信要求情報に応じて、関連画像抽出部５０４にて抽出された関連画像データを表示装置本体５Ｂに送信する。
【０１２９】
距離算出部５０３及び関連画像抽出部５０４は、カメラ側記録部４８に記録された撮影画像データ（第１タイムスタンプ及び撮影位置情報）を利用して、上述した実施の形態１で説明した距離算出部３３４及び関連画像抽出部３３５（図４）とそれぞれ同様の処理を実行する。
なお、カメラ側記録部４８に記録された撮影画像データは、本発明に係る参照情報に相当する。すなわち、カメラ側記録部４８は、本発明に係る画像記録部としての機能を有する。また、関連画像抽出部３３５は、本発明に係る関連画像取得部としての機能を有する。
【０１３０】
〔表示装置本体の構成〕
図２０は、表示装置本体５Ｂの構成を示すブロック図である。
本実施の形態３に係る表示装置本体５Ｂは、上述した実施の形態１で説明した表示装置本体５（図３）に対して、本体側制御部５９の一部の機能が変更されている。
本実施の形態３に係る本体側制御部５９Ｂは、図２０に示すように、本体側撮像制御部５９２及び本体側表示制御部５９３を備える他、本体側通信制御部５９１の一部の機能を変更した本体側通信制御部５９１Ｂを備える。
【０１３１】
本体側通信制御部５９１Ｂは、上述した実施の形態１で説明した本体側通信制御部５９１に対して、関連画像データの送信要求、及び当該関連画像データの受信について、サーバ３ではなく、レンズ型カメラ４Ｂとの間で実行する点が異なる。
【０１３２】
〔表示システムの動作〕
次に、上述した表示システム１Ｂの動作について、レンズ型カメラ４Ｂの動作、及び表示装置本体５Ｂの動作の順に説明する。
【０１３３】
〔レンズ型カメラの動作〕
図２１は、レンズ型カメラ４Ｂの動作を示すフローチャートである。
レンズ型カメラ４Ｂの動作は、図２１に示すように、上述した実施の形態１で説明したレンズ型カメラ４の動作（図５）に対して、ステップＳ１１６〜Ｓ１２２を追加した点が異なるのみである。このため、以下では、ステップＳ１１６〜Ｓ１２２のみを説明する。
【０１３４】
ステップＳ１１６は、ステップＳ１１１で画像一覧の送信要求がないと判断された場合（ステップＳ１１１：Ｎｏ）に実行される。
具体的に、カメラ側通信制御部５０１Ｂは、ステップＳ１１６において、カメラ側通信部４９を介して、表示装置本体５Ｂから関連画像データの送信要求を受信したか否かを判断する。
関連画像データの送信要求を受信していないと判断された場合（ステップＳ１１６：Ｎｏ）には、レンズ型カメラ４Ｂは、ステップＳ１１５に移行する。
一方、関連画像データの送信要求を受信したと判断された場合（ステップＳ１１６：Ｙｅｓ）には、カメラ側通信制御部５０１Ｂは、当該送信要求とともに撮影位置情報及び抽出範囲情報を表示装置本体５Ｂから受信する（ステップＳ１１７）。
続いて、距離算出部５０３は、上述した実施の形態１で説明したステップＳ３０８と同様の処理により、ステップＳ１１７で受信した撮影位置情報に基づく基準位置と、カメラ側記録部４８に記録された複数の撮影画像データに含まれる各撮影位置情報に基づく各撮影位置との間の各距離を算出する（ステップＳ１１８）。
続いて、関連画像抽出部５０４は、カメラ側記録部４８に記録された複数の撮影画像データから、上述した実施の形態１で説明したステップＳ３０９〜Ｓ３１１と同様の処理により、第１〜第３関連画像データを抽出する（ステップＳ１１９〜Ｓ１２１）。
そして、カメラ側通信制御部５０１Ｂは、カメラ側通信部４９を介して、ステップＳ１１９〜Ｓ１２１で抽出された第１〜第３関連画像データを表示装置本体５Ｂに送信する（ステップＳ１２２）。この後、レンズ型カメラ４Ｂは、ステップＳ１０１に戻る。
【０１３５】
〔表示装置本体の動作〕
図２２は、表示装置本体５Ｂの動作を示すフローチャートである。
表示装置本体５Ｂの動作は、図２２に示すように、上述した実施の形態１で説明した表示装置本体５の動作（図６〜図８）に対して、サーバ３の省略に伴い、ステップＳ２２６，Ｓ２２７を省略し（ステップＳ２２５の後にステップＳ２２８を実行し）、ステップＳ２０９，Ｓ２１７，Ｓ２２９の代わりにステップＳ２０９Ｂ，Ｓ２１７Ｂ，Ｓ２２９Ｂ（関連画像表示処理）を追加した点が異なるのみである。このため、以下では、関連画像表示処理（ステップＳ２０９Ｂ，Ｓ２１７Ｂ，Ｓ２２９Ｂ）のみを説明する。
【０１３６】
〔関連画像表示処理〕
図２３は、本発明の実施の形態３に係る関連画像表示処理（ステップＳ２０９Ｂ，Ｓ２１７Ｂ，Ｓ２２９Ｂ）を示すフローチャートである。
本実施の形態２に係る関連画像表示処理は、図２３に示すように、上述した実施の形態１で説明した関連画像表示処理（図７）に対して、ステップＳ２３２，Ｓ２３３の代わりに、当該ステップＳ２３２，Ｓ２３３での通信先をサーバ３ではなく、レンズ型カメラ４ＢとしたステップＳ２３２Ｂ，Ｓ２３３Ｂを追加した点が異なるのみである。
【０１３７】
以上説明した本実施の形態３のようにサーバ３を省略し当該サーバ３の一部の機能を表示装置２に持たせるように構成した場合であっても、上述した実施の形態１と同様の効果を奏する。
【０１３８】
（実施の形態３の変形例）
上述した実施の形態３で説明した表示装置２Ｂに対して、上述した実施の形態２で説明した地図情報記録部３４や経路探索部３３６の機能を組み込んだ構成を採用し、基準位置からカメラユーザによる選択された関連画像の撮影位置までの経路をカメラユーザに案内するように構成しても構わない。
【０１３９】
（実施の形態４）
次に、本発明の実施の形態４について説明する。
以下の説明では、上述した実施の形態３と同様の構成及びステップには同一符号を付し、その詳細な説明は省略または簡略化する。
本実施の形態４に係る表示システムでは、上述した実施の形態１で説明した表示システム１Ｂに対して、第１〜第３関連画像データを抽出する際に、基準位置からの距離の他、基準画像の撮影日時や、撮影画像データに対応する撮影画像の表示回数を考慮するように構成されている。
以下、本実施の形態４に係る表示システム１Ｃ（表示装置２Ｃ）を構成するレンズ型カメラ４Ｃ及び表示装置本体５Ｃの構成を順に説明する。
【０１４０】
〔レンズ型カメラの構成〕
図２４は、レンズ型カメラ４Ｃの構成を示すブロック図である。
本実施の形態４に係るレンズ型カメラ４Ｃは、上述した実施の形態３で説明したレンズ型カメラ４Ｂ（図１９）に対して、カメラ側制御部５０Ｂの一部の機能が変更されている。
本実施の形態４に係るカメラ側制御部５０Ｃは、図２４に示すように、カメラ側撮像制御部５０２及び距離算出部５０３を備える他、カメラ側通信制御部５０１Ｂ及び関連画像抽出部５０４の一部の機能を変更したカメラ側通信制御部５０１Ｃ及び関連画像抽出部５０４Ｃを備える。
【０１４１】
カメラ側通信制御部５０１Ｃは、上述した実施の形態３で説明したカメラ側通信制御部５０１Ｂに対して、以下に示すように、一部の機能が変更または追加されている。
すなわち、カメラ側通信制御部５０１Ｃは、カメラ側通信部４９を介して、関連画像データの送信要求を表示装置本体５Ｃから受信する際、当該送信要求とともに撮影位置情報及び抽出範囲情報の他、基準画像の撮影日時に関する第１タイムスタンプを受信するように構成されている。
また、カメラ側通信制御部５０１Ｃは、カメラ側通信部４９を介して、対応画像データの送信要求を表示装置本体５Ｃから受信し、当該送信要求に応じて対応画像データ（第１タイムスタンプ及び撮影位置情報を含む）を送信した後、当該対応画像データに関連付けてカメラ側記録部４８に記録された表示回数情報を読み出す。そして、カメラ側通信制御部５０１Ｃは、当該読み出した表示回数情報に基づく表示回数（対応画像データの送信回数）を「１」増加させ、当該増加させた表示回数情報を当該対応画像データに関連付けてカメラ側記録部４８に記録（更新）する。
【０１４２】
関連画像抽出部５０４Ｃは、上述した実施の形態３で説明した関連画像抽出部５０４に対して、カメラ側記録部４８に記録された複数の撮影画像データから第１〜第３関連画像データを抽出する際、距離算出部５０３にて算出された基準位置からの距離の他、基準画像の撮影日時を示す第１タイムスタンプや、当該撮影画像データに関連付けられた表示回数情報を考慮するように構成されている。
【０１４３】
〔表示装置本体の構成〕
図２５は、表示装置本体５Ｃの構成を示すブロック図である。
本実施の形態４に係る表示装置本体５Ｃは、上述した実施の形態３で説明した表示装置本体５Ｂ（図２０）に対して、本体側制御部５９Ｂの一部の機能が変更されている。
本実施の形態４に係る本体側制御部５９Ｃは、図２５に示すように、本体側撮像制御部５９２及び本体側表示制御部５９３を備える他、本体側通信制御部５９１Ｂの一部の機能を変更した本体側通信制御部５９１Ｃを備える。
【０１４４】
本体側通信制御部５９１Ｃは、上述した実施の形態３で説明した本体側通信制御部５９１Ｃに対して、以下に示すように、一部の機能が変更されている。
すなわち、本体側通信制御部５９１Ｃは、本体側通信部５８を介して、関連画像データの送信要求をレンズ型カメラ４Ｃに送信する際、撮影位置情報及び抽出範囲情報の他、基準画像の撮影日時に関する第１タイムスタンプを送信するように構成されている。
【０１４５】
〔表示システムの動作〕
次に、上述した表示システム１Ｃの動作について、レンズ型カメラ４Ｃの動作、及び表示装置本体５Ｃの動作の順に説明する。
【０１４６】
〔レンズ型カメラの動作〕
図２６は、レンズ型カメラ４Ｃの動作を示すフローチャートである。
レンズ型カメラ４Ｃの動作は、図２６に示すように、上述した実施の形態３で説明したレンズ型カメラ４Ｂの動作（図２１）に対して、ステップＳ１２３を追加するとともに、ステップＳ１１７，Ｓ１１９〜Ｓ１２１の代わりにステップＳ１１７Ｃ，Ｓ１１９Ｃ〜Ｓ１２１Ｃを追加した点が異なるのみである。このため、以下では、ステップＳ１２３，Ｓ１１７Ｃ，Ｓ１１９Ｃ〜Ｓ１２１Ｃのみを説明する。
【０１４７】
ステップＳ１２３は、ステップＳ１１４の後に実行される。
具体的に、カメラ側通信制御部５０１Ｃは、ステップＳ１２３において、ステップＳ１１４で送信した対応画像データに関連付けてカメラ側記録部４８に記録された表示回数情報を読み出す。そして、カメラ側通信制御部５０１Ｃは、当該読み出した表示回数情報に基づく表示回数を「１」増加させ、当該増加させた表示回数情報を当該対応画像データに関連付けてカメラ側記録部４８に記録（更新）する。この後、レンズ型カメラ４Ｃは、ステップＳ１０１に戻る。
【０１４８】
ステップＳ１１７Ｃは、ステップＳ１１６で関連画像データの送信要求を受信したと判断された場合（ステップＳ１１６：Ｙｅｓ）に実行される。
具体的に、カメラ側通信制御部５０１Ｃは、ステップＳ１１７Ｃにおいて、当該送信要求とともに撮影位置情報、抽出範囲情報、及び第１タイムスタンプを表示装置本体５Ｃから受信する。この後、表示装置本体５Ｃは、ステップＳ１１８に移行する。
【０１４９】
ステップＳ１１９Ｃは、ステップＳ１１８の後に実行される。
具体的に、関連画像抽出部５０４Ｃは、ステップＳ１１９Ｃにおいて、カメラ側記録部４８に記録された複数の撮影画像データから、ステップＳ１１８で算出された基準位置からの距離がステップＳ１１７Ｃで受信した抽出範囲情報に基づく第１距離未満の範囲内となる撮影位置で撮影された撮影画像データを絞り込む。また、関連画像抽出部５０４Ｃは、当該絞り込んだ撮影画像データから、ステップＳ１１７Ｃで受信した第１タイムスタンプ（基準日時）と同一の季節となる第１タイムスタンプを含む撮影画像データをさらに絞り込む。さらに、関連画像抽出部５０４Ｃは、当該さらに絞り込んだ撮影画像データのうち、当該撮影画像データに関連付けられた表示回数情報を参照し、当該表示回数情報に基づく表示回数が第１閾値以上となる撮影画像データを第１関連画像データとしてカメラ側記録部４８から抽出する。
【０１５０】
続いて、関連画像抽出部５０４Ｃは、カメラ側記録部４８に記録された複数の撮影画像データから、ステップＳ１１８で算出された基準位置からの距離が第１距離以上、ステップＳ１１７Ｃで受信した抽出範囲情報に基づく第２距離未満の範囲内となる撮影位置で撮影された撮影画像データを絞り込む。また、関連画像抽出部５０４Ｃは、当該絞り込んだ撮影画像データから、ステップＳ１１７Ｃで受信した第１タイムスタンプ（基準日時）と同一の季節となる第１タイムスタンプを含む撮影画像データをさらに絞り込む。さらに、関連画像抽出部５０４Ｃは、当該さらに絞り込んだ撮影画像データのうち、当該撮影画像データに関連付けられた表示回数情報を参照し、当該表示回数情報に基づく表示回数が第１閾値以上となる撮影画像データを第２関連画像データとしてカメラ側記録部４８から抽出する（ステップＳ１２０Ｃ）。
【０１５１】
続いて、関連画像抽出部５０４Ｃは、カメラ側記録部４８に記録された複数の撮影画像データから、ステップＳ１１８で算出された基準位置からの距離が第２距離以上、ステップＳ１１７Ｃで受信した抽出範囲情報に基づく第３距離未満の範囲内となる撮影位置で撮影された撮影画像データを絞り込む。また、関連画像抽出部５０４Ｃは、当該絞り込んだ撮影画像データから、ステップＳ１１７Ｃで受信した第１タイムスタンプ（基準日時）と同一の季節となる第１タイムスタンプを含む撮影画像データをさらに絞り込む。さらに、関連画像抽出部５０４Ｃは、当該さらに絞り込んだ撮影画像データのうち、当該撮影画像データに関連付けられた表示回数情報を参照し、当該表示回数情報に基づく表示回数が第１閾値以上となる撮影画像データを第３関連画像データとしてカメラ側記録部４８から抽出する（ステップＳ１２１Ｃ）。この後、レンズ型カメラ４Ｃは、ステップＳ１２２に移行する。
【０１５２】
〔表示装置本体の動作〕
表示装置本体５Ｃの動作は、上述した実施の形態３で説明した表示装置本体５Ｂの動作（図２２，図２３）に対して、関連画像表示処理（ステップＳ２０９Ｂ，Ｓ２１７Ｂ，Ｓ２２９Ｂ）が異なるのみである。このため、以下では、本実施の形態４に係る関連画像表示処理（ステップＳ２０９Ｂ，Ｓ２１７Ｂ，Ｓ２２９Ｂ）のみを説明する。
【０１５３】
〔関連画像表示処理〕
図２７は、本発明の実施の形態４に係る関連画像表示処理（ステップＳ２０９Ｂ，Ｓ２１７Ｂ，Ｓ２２９Ｂ）を示すフローチャートである。
本実施の形態４に係る関連画像表示処理は、図２７に示すように、上述した実施の形態３で説明した関連画像表示処理（図２３）に対して、ステップＳ２３２Ｂの代わりに、関連画像データの送信要求を行う際に、撮影位置情報及び抽出範囲情報の他、第１タイムスタンプを送信するステップＳ２３２Ｃを追加した点が異なるのみである。
ここで、レンズ型カメラ４Ｃに送信する第１タイムスタンプは、ステップＳ２０９Ｂでの関連画像表示処理（基準画像がライブビュー画像）の場合には、ステップＳ２０３で本体側メモリ部５６に記憶された最新のライブビュー画像データに含まれる第１タイムスタンプである。また、ステップＳ２１７Ｂでの関連画像表示処理（基準画像が撮影画像）の場合には、当該第１タイムスタンプは、ステップＳ２１３で画像データ記録部５７２に記録された最新の撮影画像データに含まれる第１タイムスタンプである。さらに、ステップＳ２２９Ｂでの関連画像表示処理（基準画像が対応画像）の場合には、当該第１タイムスタンプは、ステップＳ２２３で本体側メモリ部５６に記憶された最新の対応画像データに含まれる第１タイムスタンプである。
【０１５４】
以上説明した本実施の形態４によれば、上述した実施の形態３と同様の効果の他、以下の効果がある。
本実施の形態４に係る表示システム１Ｃは、第１〜第３関連画像データを抽出する際に、基準位置からの距離の他、基準画像の撮影日時や、撮影画像データに対応する撮影画像の表示回数を考慮するように構成されている。
このため、関連画像としての表示に適切でない関連画像（基準画像の撮影日時が夏なのに冬に撮影された関連画像や、カメラユーザにとって関心のない（表示回数が少ない）関連画像等）を表示することがなく、適切な関連画像のみを表示することができる。
【０１５５】
（実施の形態４の変形例）
上述した実施の形態４では、基準画像の撮影日時と同一の季節となる関連画像データを抽出していたが、これに限られず、基準画像の撮影日時を考慮に入れれば、基準画像の撮影日時と同一の時間帯（昼や夜）となる関連画像データを抽出しても構わない。
【０１５６】
また、上述した実施の形態４において、関連画像データを抽出する際に、以下の情報を考慮するように構成しても構わない。
すなわち、撮影画像データをカメラ側記録部４８に記録する際に、当該撮影画像データに対して、カメラユーザが入力部５１を利用して選択あるいは入力したキーワード（例えば、ラーメン等）を関連付けてカメラ側記録部４８に記録しておく。そして、当該カメラ側記録部４８に記録された複数の撮影画像データから関連画像データを抽出する際には、別途、カメラユーザが選択あるいは入力したキーワードに関連付けられた撮影画像データを関連画像データとして抽出する。
【０１５７】
上述した実施の形態４で説明した表示装置２Ｃに対して、上述した実施の形態２で説明した地図情報記録部３４や経路探索部３３６の機能を組み込んだ構成を採用し、基準位置からカメラユーザによる選択された関連画像の撮影位置までの経路をカメラユーザに案内するように構成しても構わない。
【０１５８】
上述した実施の形態４で説明した「関連画像データを抽出する際に、基準位置からの距離、基準画像の撮影日時、撮影画像データに対応する撮影画像の表示回数、または、キーワードを考慮する」という構成を、上述した実施の形態１，２で説明した構成に組み込んでも構わない。
【０１５９】
（その他の実施の形態）
ここまで、本発明を実施するための形態を説明してきたが、本発明は上述した実施の形態１〜４によってのみ限定されるべきものではない。
上述した実施の形態１〜４において、関連画像を表示する表示画面の構成（レイアウト）は、上述した実施の形態１〜４で説明した構成（図１０の例では、表示画面Ｗ１００）に限られず、その他の構成（レイアウト）を採用しても構わない。例えば、レンズ型カメラ４，４Ｂ，４Ｃの方位（視野方向）に応じて、当該方位に存在する関連画像を当該方位に応じた位置に配置した構成（レイアウト）を採用しても構わない。
【０１６０】
上述した実施の形態１〜４では、抽出範囲情報として第１〜第３抽出範囲情報を設け、第１〜第３関連画像データを取得して表示画面の第１〜第３領域Ａｒ１〜Ａｒ３にそれぞれ配置するように構成されていたが、これに限られない。例えば、抽出範囲情報を１つまたは２つ設けた構成（関連画像データを１つまたは２つ（第１関連画像データのみ、または、第１，第２関連画像データのみ）取得する構成）としてもよく、あるいは、４つ以上設けた構成（関連画像データを４つ以上取得（第１〜第３関連画像データの他、第４関連画像データ等を取得）する構成）としても構わない。
【０１６１】
上述した実施の形態１〜４では、レンズ型カメラ４，４Ｂ，４Ｃと表示装置本体５，５Ａ〜５Ｃとを別体で構成していたが、これに限られず、レンズ型カメラ４，４Ｂ，４Ｃの機能と表示装置本体５，５Ａ〜５Ｃの機能とを一体化した表示装置として構成しても構わない。勿論、産業用、医療用の機器においても、観察位置、撮影位置等、現在の装置位置（基準位置）と、すでに撮影された画像の相対的な位置関係（絶対的な位置の差分でもよい）が分かるものであれば、どのような撮影、観察、検査装置にも利用が可能であって、相対的に近い位置で撮影された画像が整理されて表示されれば、再チェックする部分や、経過観察等の動機付けになり、様々な有益情報を視覚的、直感的にユーザに提供することができる。いわば、位置を利用したキュレーションとも言える発明が、本発明には含まれている。つまり、利便性の向上が図れる観察装置、検査装置、観察システム、検査システム、観察方法、検査方法、観察プログラム、及び検査プログラムを提供することができることとなる。
本発明に係る装置は、基準画像データと、当該基準画像データの観察、表示位置（基準位置）に対して所定距離の範囲内で撮影された関連画像データとを取得し、当該基準画像データに対応する基準画像、及び当該関連画像データに対応する関連画像を表示する。
このため、本装置のユーザは、関連画像を確認することにより、基準位置の周辺での観察、検査により実際にどのような観察、検査ができるのかを明確に把握することができる。したがって、本発明に係る装置によれば、利便性の向上が図れる、という効果を奏する。
【０１６２】
また、処理フローは、上述した実施の形態１〜４で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１６３】
１，１Ａ〜１Ｃ・・・表示システム；２，２Ａ〜２Ｃ・・・表示装置；３，３Ａ・・・サーバ；４，４Ｂ，４Ｃ・・・レンズ型カメラ；５，５Ａ〜５Ｃ・・・表示装置本体；６・・・アタッチメント；６Ａ・・・取付用孔；３１・・・サーバ側通信部；３２・・・データベース；３３，３３Ａ・・・サーバ側制御部；３４・・・地図情報記録部；４１・・・光学系；４２・・・駆動部；４３・・・位置検出部；４４・・・操作部；４５・・・カメラ側時計部；４６・・・カメラ側撮像部；４７・・・カメラ側メモリ部；４８・・・カメラ側記録部；４９・・・カメラ側通信部；５０，５０Ｂ，５０Ｃ・・・カメラ側制御部；５１・・・入力部；５２・・・表示部；５３・・・本体側時計部；５４・・・本体側撮像部；５５・・・位置取得部；５６・・・本体側メモリ部；５７・・・本体側記録部；５８・・・本体側通信部；５９，５９Ａ〜５９Ｃ・・・本体側制御部；３３１，３３１Ａ・・・サーバ側通信制御部；３３２・・・端末判定部；３３３・・・データベース管理部；３３４・・・距離算出部；３３５・・・関連画像抽出部；３３６・・・経路探索部；４１１・・・ズームレンズ；４１２・・・フォーカスレンズ；４２１・・・ズーム駆動部；４２２・・・フォーカス駆動部；４３１・・・ズーム位置検出部；４３２・・・フォーカス位置検出部；５０１，５０１Ｂ，５０１Ｃ・・・カメラ側通信制御部；５０２・・・カメラ側撮像制御部；５０３・・・距離算出部；５０４，５０４Ｃ・・・関連画像抽出部；５７１・・・プログラム記録部；５７２・・・画像データ記録部；５９１，５９１Ａ〜５９１Ｃ・・・本体側通信制御部；５９２・・・本体側撮像制御部；５９３，５９３Ａ・・・本体側表示制御部；Ａ１〜Ａ３・・・操作アイコン；Ａｒ１・・・第１領域；Ａｒ２・・・第２領域；Ａｒ３・・・第３領域；Ｄ１・・・第１距離；Ｄ２・・・第２距離；ＦＳ・・・基準画像；Ｆ１０１〜Ｆ１１０・・・撮影画像；Ｎ・・・インターネット網；ＰＳ・・・基準位置；Ｐ１０１〜Ｐ１０５・・・撮影位置；ＲＴ・・・経路；Ｗ１００・・・表示画面；Ｗ２００・・・経路画像
【図１】
0006368560.tif 000003
【図２】
0006368560.tif 000004
【図３】
0006368560.tif 000005
【図４】
0006368560.tif 000006
【図５】
0006368560.tif 000007
【図６】
0006368560.tif 000008
【図７】
0006368560.tif 000009
【図８】
0006368560.tif 000010
【図９】
0006368560.tif 000011
【図１０】
0006368560.tif 000012
【図１１】
0006368560.tif 000013
【図１２Ａ】
0006368560.tif 000014
【図１２Ｂ】
0006368560.tif 000015
【図１３】
0006368560.tif 000016
【図１４】
0006368560.tif 000017
【図１５】
0006368560.tif 000018
【図１６】
0006368560.tif 000019
【図１７】
0006368560.tif 000020
【図１８】
0006368560.tif 000021
【図１９】
0006368560.tif 000022
【図２０】
0006368560.tif 000023
【図２１】
0006368560.tif 000024
【図２２】
0006368560.tif 000025
【図２３】
0006368560.tif 000026
【図２４】
0006368560.tif 000027
【図２５】
0006368560.tif 000028
【図２６】
0006368560.tif 000029
【図２７】
0006368560.tif 000030